(57)【要約】【課題】画像形成装置の小型化を図ることができる現像カートリッジを提供すること。【解決手段】  現像カートリッジ７は、現像ローラ１１と、現像ローラ１１にトナーを供給するように構成される供給ローラ１２と、外部からの駆動力を現像ローラ１１に伝達する現像カップリング４４とを備える。現像カップリング４４は、供給ローラ１２の中心軸線Ａ２を回転中心として回転するように構成され、内方位置と、内方位置よりも左右方向外方に位置する外方位置との間を移動する。【選択図】図１８
2014170142.tif 000002
【特許請求の範囲】
【請求項１】
第１方向に延びる第１軸線を有する現像ローラと、
前記第１軸線に沿う第２軸線を有し、前記現像ローラに現像剤を供給するように構成される供給ローラと、
外部から供給される駆動力を前記現像ローラに伝達するように構成されるカップリングと
を備え、
前記カップリングは、第１位置と、前記第１位置よりも外側に位置する第２位置との間を移動するように構成され、前記第２軸線を回転中心として回転するように構成される
ことを特徴とする、現像カートリッジ。
【請求項２】
前記カップリングは、前記第２軸線に沿って、前記第１位置と前記第２位置との間を移動するように構成される
ことを特徴とする、請求項１に記載の現像カートリッジ。
【請求項３】
前記第１位置または前記第２位置に前記カップリングを移動させるように構成される移動機構を備える
ことを特徴とする、請求項１または２に記載の現像カートリッジ。
【請求項４】
前記移動機構は、前記第１位置または前記第２位置に前記カップリングを移動させるように構成される移動部材を含む
ことを特徴とする、請求項３に記載の現像カートリッジ。
【請求項５】
前記移動機構は、前記カップリングを付勢する付勢部材をさらに備える
ことを特徴とする、請求項４に記載の現像カートリッジ。
【請求項６】
前記付勢部材は、前記カップリングを常に前記第２位置へ向かって付勢し、
前記移動部材は、前記移動部材が前記付勢部材の付勢力に抗して前記カップリングを前記第１位置に向かって押圧する押圧位置と、前記移動部材が前記カップリングを前記第１位置に向かって押圧する押圧を解除する押圧解除位置とに移動するように構成される
ことを特徴とする、請求項５に記載の現像カートリッジ。
【請求項７】
前記カップリングの移動を規制するように構成される第１規制部材を備える
ことを特徴とする、請求項３ないし６のいずれか一項に記載の現像カートリッジ。
【請求項８】
前記第１規制部材は、前記移動機構の移動を規制するように構成される
ことを特徴とする、請求項７に記載の現像カートリッジ。
【請求項９】
外部からの力を受けて移動することにより、前記カップリングを移動させるように構成される力受け部を備える
ことを特徴とする、請求項３ないし８のいずれか一項に記載の現像カートリッジ。
【請求項１０】
前記力受け部は、前記外部からの力を受けて移動することにより、前記移動機構を移動させるように構成される
ことを特徴とする、請求項９に記載の現像カートリッジ。
【請求項１１】
前記力受け部の移動を規制するように構成される第２規制部材を備える
ことを特徴とする、請求項９または１０に記載の現像カートリッジ。
【請求項１２】
前記力受け部が受けた前記外部の力を前記力受け部から前記移動機構へ伝達することを遮断するように構成される遮断部材を備える
ことを特徴とする、請求項９ないし１１のいずれか一項に記載の現像カートリッジ。
【請求項１３】
前記第１軸線と直交する方向において、前記現像ローラと間隔を隔てて位置する壁を有し、
前記力受け部は、前記壁に配置されている
ことを特徴とする、請求項９ないし１２のいずれか一項に記載の現像カートリッジ。
【請求項１４】
前記力受け部は、把持部を備える
ことを特徴とする、請求項９ないし１３のいずれか一項に記載の現像カートリッジ。
【請求項１５】
前記把持部は、前記第１方向において、前記力受け部の中央に配置されている
ことを特徴とする、請求項１４に記載の現像カートリッジ。
【請求項１６】
前記カップリングは、前記供給ローラとは逆方向に回転するように構成される
ことを特徴とする、請求項１ないし１５のいずれか一項に記載の現像カートリッジ。
【請求項１７】
前記カップリングが受けた前記駆動力を前記供給ローラに伝達するように構成される伝達機構を備える
ことを特徴とする、請求項１ないし１６のいずれか一項に記載の現像カートリッジ。
【請求項１８】
前記伝達機構は、
前記第２軸線上に配置され、前記カップリングが受けた前記駆動力を前記供給ローラに伝達するように構成される第１伝達部と、
前記カップリングが受けた前記駆動力を前記カップリングから前記第１伝達部へ伝達するように構成される第２伝達部と
を備える
ことを特徴とする、請求項１７に記載の現像カートリッジ。
【請求項１９】
前記第２伝達部は、
前記第１軸線上に配置され、かつ、前記カップリングに接触する第３伝達部と、
前記第３伝達部および前記第１伝達部に接触する第４伝達部と
を備える
ことを特徴とする、請求項１８に記載の現像カートリッジ。
【請求項２０】
前記カップリングは、前記第１位置に配置されるとき、および、前記第２位置に配置されるときの両方において、前記第３伝達部と接触する
ことを特徴とする、請求項１９に記載の現像カートリッジ。
【請求項２１】
前記カップリングの移動可能距離は、前記第１方向における前記第３伝達部の長さよりも短い
ことを特徴とする、請求項１９または２０に記載の現像カートリッジ。
【請求項２２】
前記カップリングは、第１はすばを有し、
前記第３伝達部は、前記第１はすばに噛み合う第２はすばを有する
ことを特徴とする、請求項１９ないし２１のいずれか一項に記載の現像カートリッジ。
【請求項２３】
前記カップリングおよび前記第３伝達部は、前記カップリングの回転時に、前記カップリングを前記第１位置から前記第２位置へ向かう方向へ押圧するスラスト力を発生させるように構成される
ことを特徴とする、請求項２２に記載の現像カートリッジ。
【請求項２４】
前記第２伝達部は、前記カップリングおよび前記第１伝達部に接触する第３伝達部を備える
ことを特徴とする、請求項１８に記載の現像カートリッジ。
【請求項２５】
前記現像ローラの前記第１軸線に沿って延び、かつ、前記現像ローラの近傍に配置されるカラーをさらに備え、
前記カップリングは、前記第１位置において、前記カラーよりも前記第１方向の内方に配置され、前記第２位置において、前記カラーよりも前記第１方向の外方に位置するように構成される
ことを特徴とする、請求項１ないし２４のいずれか一項に記載の現像カートリッジ。
【請求項２６】
前記カップリングの移動可能距離は、５ｍｍ〜３０ｍｍである
ことを特徴とする、請求項１ないし２５のいずれか一項に記載の現像カートリッジ。
【請求項２７】
前記カップリングの移動可能距離は、前記第１軸線と直交する方向における前記カップリングの長さの１．５〜２倍である
ことを特徴とする、請求項１ないし２６のいずれか一項に記載の現像カートリッジ。
【請求項２８】
前記供給ローラは、前記第２軸線に沿って延びるシャフトを備え、
前記供給ローラの前記シャフトを支持する支持部材をさらに備え、
前記支持部材は、前記カップリングを支持する支持部を備える
ことを特徴とする、請求項１ないし２７のいずれか一項に記載の現像カートリッジ。
【請求項２９】
前記供給ローラは、前記第２軸線に沿って延びるシャフトを備え、
前記カップリングは、前記シャフトに相対回転可能に支持されている
ことを特徴とする、請求項１ないし２７のいずれか一項に記載の現像カートリッジ。
【請求項３０】
第１壁と、前記第１方向において間隔を隔てて位置する第２壁と、前記第１壁と前記第２壁とを連結する連結壁とを有する筐体を備え、
前記連結壁は、前記供給ローラの周面に沿う湾曲形状を有し、
前記カップリングは、前記カップリングを前記第１方向に投影したときに、前記連結壁と重なる
ことを特徴とする、請求項１ないし２９のいずれか一項に記載の現像カートリッジ。
【発明の詳細な説明】
【技術分野】
【０００１】
本発明は、電子写真方式が採用される画像形成装置に使用するための現像カートリッジに関する。
【背景技術】
【０００２】
従来の電子写真方式の画像形成装置は、装置本体と、現像ローラを有する現像ユニットと、感光ドラムを有するドラムユニットとを備えるカートリッジとを備えている。カートリッジは、装置本体に装着または離脱されるように構成されている（たとえば、下記特許文献１参照。）。
【０００３】
この画像形成装置では、装置本体は、カートリッジのカップリングに駆動力を入力する装置本体のカップリングをさらに備えている。
【０００４】
この画像形成装置は、装置本体のカップリングは、カートリッジに対して進退可能に構成されている。
【０００５】
具体的には、装置本体のカップリングは、カートリッジが装置本体に装着される前の状態では、カートリッジの装着の邪魔にならないように退避している。
【０００６】
そして、装置本体のカップリングは、操作者がカバーを閉じることにより、装置本体内部に突出し、カートリッジのカップリングに連結される。
【先行技術文献】
【特許文献】
【０００７】
【特許文献１】特許第４３８７９３２号公報
【発明の概要】
【発明が解決しようとする課題】
【０００８】
上記した画像形成装置では、装置本体のカップリングを進退させるための機構を装置本体に設ける必要があり、装置本体の小型化を図ることが困難である。
【０００９】
本発明の目的は、画像形成装置の小型化を図ることができる現像カートリッジを提供することにある。
【課題を解決するための手段】
【００１０】
（１）上記した目的を達成するために、本発明の現像カートリッジは、第１方向に延びる第１軸線を有する現像ローラと、第１軸線に沿う第２軸線を有し、現像ローラに現像剤を供給するように構成される供給ローラと、外部から供給される駆動力を前記現像ローラに伝達するように構成されるカップリングとを備える。
【００１１】
カップリングは、第１位置と、第１位置よりも外側に位置する第２位置との間を移動するように構成され、第２軸線を回転中心として回転するように構成される。
【００１２】
このような構成によれば、現像カートリッジは、第１位置から第２位置へ外方に向かって移動可能なカップリングを備えている。
【００１３】
そのため、現像カートリッジは、カップリングが第２位置に位置している状態で画像形成装置から駆動力を受けることができる。
【００１４】
つまり、現像カートリッジは、画像形成装置が現像カートリッジに向かって移動する構成を有していない場合でも、画像形成装置から駆動力を受けることができる。
【００１５】
その結果、画像形成装置の構成を簡略化することができ、画像形成装置の小型化を図ることができる。
（２）カップリングは、第２軸線に沿って、第１位置と第２位置との間を移動するように構成されてもよい。
【００１６】
このような構成によれば、カップリングが配置されている側において、第１方向における画像形成装置の小型化を図ることができる。
（３）本発明の現像カートリッジは、第１位置または第２位置にカップリングを移動させるように構成される移動機構を備えてもよい。
【００１７】
このような構成によれば、移動機構によりカップリングを移動させることができる。
（４）移動機構は、第１位置または第２位置にカップリングを移動させるように構成される移動部材を含んでもよい。
【００１８】
このような構成によれば、簡易な構成で、カップリングを第１位置または第２位置に移動させることができる。
（５）移動機構は、カップリングを付勢する付勢部材をさらに備えてもよい。
【００１９】
このような構成によれば、カップリングを確実に第１位置または第２位置に移動させることができる。
（６）付勢部材は、カップリングを常に第２位置へ向かって付勢してもよい。この場合、移動部材は、移動部材が付勢部材の付勢力に抗してカップリングを第１位置に向かって押圧する押圧位置と、移動部材がカップリングを第１位置に向かって押圧する押圧を解除する押圧解除位置とに移動するように構成されてもよい。
【００２０】
このような構成によれば、付勢部材の付勢力により、確実に、カップリングを第２位置に位置させることができる。
（７）本発明の現像カートリッジは、カップリングの移動を規制するように構成される第１規制部材を備えてもよい。
【００２１】
このような構成によれば、第１規制部材により、意図しないカップリングの移動を規制することができる。
（８）第１規制部材は、移動機構の移動を規制するように構成されてもよい。
【００２２】
このような構成によれば、簡易な構成で、意図しないカップリングの移動を規制することができる。
（９）本発明の現像カートリッジは、外部からの力を受けて移動することにより、カップリングを移動させるように構成される力受け部を備えてもよい。
【００２３】
このような構成によれば、外部からの力を利用して、カップリングを移動させることができる。
【００２４】
そのため、現像カートリッジの構成を簡略化することができる。
（１０）力受け部は、外部からの力を受けて移動することにより、移動機構を移動させるように構成されてもよい。
【００２５】
このような構成によれば、簡易な構成により、外部からの力を移動機構に伝達することができる。
（１１）本発明の現像カートリッジは、力受け部の移動を規制するように構成される第２規制部材を備えてもよい。
【００２６】
このような構成によれば、第２規制部材により、意図しない力受け部の移動を規制することができる。
【００２７】
その結果、カップリングの意図しない移動を規制することができる。
（１２）本発明の現像カートリッジは、力受け部が受けた外部の力を力受け部から移動機構へ伝達することを遮断するように構成される遮断部材を備えてもよい。
【００２８】
このような構成によれば、遮断部材によって力受け部と移動機構との連動を解除し、外部からの意図しない力によって力受け部が移動された場合に、移動機構が移動することを防止できる。
【００２９】
その結果、カップリングの意図しない移動を防止することができる。
（１３）本発明の現像カートリッジは、第１軸線と直交する方向において現像ローラと間隔を隔てて位置する壁を有してもよい。この場合、力受け部は、壁に配置されていてもよい。
【００３０】
このような構成によれば、力受け部は、現像ローラの第１軸線と直交する方向から、確実に力を受けることができる。
（１４）力受け部は、把持部を備えてもよい。
【００３１】
このような構成によれば、力受け部は、操作者が把持部を把持して操作することで、確実に力を受けることができる。
（１５）把持部は、第１方向において、力受け部の中央に配置されていてもよい。
【００３２】
このような構成によれば、操作者は、容易に把持部を把持することができる。
（１６）カップリングは、供給ローラとは逆方向に回転するように構成されてもよい。
【００３３】
このような構成によれば、現像カートリッジの姿勢をより安定させることができる。
（１７）本発明の現像カートリッジは、カップリングが受けた駆動力を供給ローラに伝達するように構成される伝達機構を備えてもよい。
【００３４】
このような構成によれば、伝達機構により、カップリングが受けた駆動力を確実に供給ローラに伝達することができる。
（１８）伝達機構は、第２軸線上に配置され、カップリングが受けた駆動力を供給ローラに伝達するように構成される第１伝達部と、カップリングが受けた駆動力をカップリングから第１伝達部へ伝達するように構成される第２伝達部とを備えてもよい。
【００３５】
このような構成によれば、簡易な構成で、カップリングが受けた駆動力を、第２伝達部および第１伝達部を順次介して供給ローラへ伝達することができる。
（１９）第２伝達部は、第１軸線上に配置され、かつ、カップリングに接触する第３伝達部と、第３伝達部および第１伝達部に接触する第４伝達部とを備えてもよい。
【００３６】
このような構成によれば、簡易な構成で、カップリングが受けた駆動力を、第３伝達部および第４伝達部を順次介して第１伝達部へ伝達することができる。
（２０）カップリングは、第１位置に配置されるとき、および、第２位置に配置されるときの両方において、第３伝達部と接触していてもよい。
【００３７】
このような構成によれば、カップリングが第２位置に位置したときに、カップリングが受けた駆動力を、第３伝達部へ確実に伝達することができる。
（２１）カップリングの移動可能距離は、第１方向における第３伝達部の長さよりも短い。
【００３８】
このような構成によれば、カップリングが第２位置に位置したときに、確実に、カップリングと第３伝達部とを接触させることができる。
（２２）カップリングは、第１はすばを有し、第３伝達部は、第１はすばに噛み合う第２はすばを有してもよい。
【００３９】
このような構成によれば、カップリングから第３伝達部へ、静かに駆動力を伝達させることができる。
（２３）カップリングおよび第３伝達部は、カップリングの回転時に、カップリングを第１位置から第２位置へ向かう方向へ押圧するスラスト力を発生させるように構成されている。
【００４０】
このような構成によれば、スラスト力を利用して、カップリングを確実に第２位置に配置させることができる。
（２４）第２伝達部は、カップリングおよび第１伝達部に接触する第３伝達部を備えてもよい。
【００４１】
このような構成によれば、簡易な構成で、カップリングが受けた駆動力を、第３伝達部を介して第１伝達部へ伝達することができる。
（２５）本発明の現像カートリッジは、現像ローラの第１軸線に沿って延び、かつ、現像ローラの近傍に配置されるカラーをさらに備えてもよい。この場合、カップリングは、第１位置において、カラーよりも第１方向の内方に配置され、第２位置において、カラーよりも第１方向の外方に位置するように構成されてもよい。
【００４２】
このような構成によれば、カップリングを第１位置に位置させたときに、カップリングをカラーよりも内方に位置させることができる。
【００４３】
その結果、カップリングが外部の構成に干渉することを抑制できる。
（２６）カップリングの移動可能距離は、５ｍｍ〜３０ｍｍであってもよい。
【００４４】
このような構成によれば、カップリングの移動距離を比較的短く設定しながら、画像形成装置のカップリングに確実にアクセスすることができる。
【００４５】
その結果、現像カートリッジの小型化と、画像形成装置のカップリングに対する確実なアクセスとを図ることができる。
（２７）カップリングの移動可能距離は、第１軸線と直交する方向におけるカップリングの長さの１．５〜２倍であってもよい。
【００４６】
このような構成によれば、現像カートリッジの小型化と、画像形成装置のカップリングに対する確実なアクセスとをより図ることができる。
（２８）供給ローラは、第２軸線に沿って延びるシャフトを備えてもよい。本発明の現像カートリッジは、供給ローラのシャフトを支持する支持部材をさらに備えてもよい。この場合、支持部材は、カップリングを支持する支持部を備えてもよい。
【００４７】
このような構成によれば、供給ローラのシャフトに嵌合される支持部材を利用して、カップリングを支持することができる。
【００４８】
そのため、シャフトおよび支持部材とは別の部材にカップリングを支持する場合と比べて、部品点数を低減することができる。
（２９）供給ローラは、第２軸線に沿って延びるシャフトを備えてもよい。この場合、カップリングは、シャフトに相対回転可能に支持されていてもよい。
【００４９】
このような構成によれば、供給ローラのシャフトを利用してカップリングを支持することができる。
【００５０】
その結果、カップリングが受けた駆動力を確実に供給ローラに伝達することができる。
（３０）本発明の現像カートリッジは、第１壁と、第１方向において間隔を隔てて位置する第２壁と、第１壁と第２壁とを連結する連結壁とを有する筐体を備えてもよい。連結壁は、供給ローラの周面に沿う湾曲形状を有してもよい。この場合、カップリングは、カップリングを第１方向に投影したときに、連結壁と重なってもよい。
【００５１】
このような構成によれば、カップリングは、筺体のうち、連結壁が配置されることによって剛性が高くなっている部分に、支持される。
【００５２】
そのため、カップリングを安定に筐体に支持することができ、カップリングの安定した回転や、円滑な移動を実現することができる。
【発明の効果】
【００５３】
本発明の現像カートリッジによれば、画像形成装置の構成を簡略化することができ、画像形成装置の小型化を図ることができる。
【図面の簡単な説明】
【００５４】
【図１】図１は、本発明の第１実施形態を適用した現像カートリッジの中央断面図である。
【図２】図２は、本発明の第１実施形態の現像カートリッジが装着されたプリンタの形態を示す中央断面図である。
【図３】図３は、図１に示す現像カートリッジの平面図である。
【図４】図４は、図２に示す現像カートリッジの第１フレームの左下方から見た斜視図である。
【図５】図５は、図２に示す現像カートリッジの駆動部の左上方から見た斜視図である。
【図６】図６は、図５に示す駆動部であって、現像カートリッジのカバーを外した状態を示す。
【図７】図７は、図６に示す駆動部の左側面図である。
【図８】図８は、図６に示す駆動部の分解斜視図である。
【図９】図９は、図６に示す現像カートリッジの現像カップリングのギヤ部と現像ギヤとの噛合状態を説明する説明図である。
【図１０】図１０は、図２に示す現像カートリッジの右前方から見た斜視図である。
【図１１】図１１は、図９に示す現像カートリッジの受電部の分解斜視図である。
【図１２】図１２は、図９に示す受電部であって、現像カートリッジのカバーを外した状態を示す。
【図１３】図１３は、図１１に示す受電部の右側面図である。
【図１４】図１４は、図２に示す現像カートリッジのＢ−Ｂ断面図である。
【図１５】図１５Ａは、ハンドル部材と左直動カムとの連動を説明する説明図であって、ハンドル部材が延出位置から傾倒位置へ移動する途中において、突起が左直動カムに当接した状態を示す説明図である。図１５Ｂは、ハンドル部材と左直動カムとの連動を説明する説明図であって、ハンドル部材が傾倒位置に位置し、左直動カムが押圧位置に位置した状態を示す説明図である。
【図１６】図１６Ａは、ハンドル部材と右直動カムとの連動を説明する説明図であって、ハンドル部材が延出位置から傾倒位置へ移動する途中において、突起が右直動カムに当接した状態を示す説明図である。図１６Ｂは、ハンドル部材と右直動カムとの連動を説明する説明図であって、ハンドル部材が傾倒位置に位置し、右直動カムが押圧解除位置に位置した状態を示す説明図である。
【図１７】図１７は、図１５Ｂに示す駆動部を左上方から見た斜視図である。
【図１８】図１８は、図１６Ｂに示す受電部を右上方から見た斜視図である。
【図１９】図１９は、現像カップリングが外方位置に位置し、現像電極が外方位置に位置した状態を示す図２のＡ−Ａ断面図である。
【図２０】図２０Ａは、ハンドル部材と左直動カムとの連動を説明する説明図であって、ハンドル部材が傾倒位置から延出位置へ移動する途中において、突起が左直動カムの第２係合部の垂直部分に当接した状態を示す説明図である。図２０Ｂは、ハンドル部材と左直動カムとの連動を説明する説明図であって、ハンドル部材が傾倒位置から延出位置へ移動する途中において、突起が左直動カムの第２係合部の傾斜部分に当接した状態を示す説明図である。図２０Ｃは、ハンドル部材と左直動カムとの連動を説明する説明図であって、ハンドル部材が延出位置に位置し、左直動カムが押圧解除位置に位置した状態を示す説明図である。
【図２１】図２１Ａは、ハンドル部材と右直動カムとの連動を説明する説明図であって、ハンドル部材が傾倒位置から延出位置へ移動する途中において、突起が右直動カムの第２係合部に当接した状態を示す説明図である。図２１Ｂは、ハンドル部材と右直動カムとの連動を説明する説明図であって、ハンドル部材が延出位置に位置し、右直動カムが押圧位置に位置した状態を示す説明図である。
【図２２】図２２Ａは、本発明の第２実施形態の現像カートリッジの右リンク機構を説明する説明図であって、右リンク機構が第１位置に位置し、現像電極が内方位置に位置した状態を示す説明図である。図２２Ｂは、本発明の第２実施形態の現像カートリッジの右リンク機構を説明する説明図であって、右リンク機構が第２位置に位置し、現像電極が外方位置に位置した状態を示す説明図である。
【図２３】図２３Ａは、本発明の第２実施形態の現像カートリッジの左リンク機構を説明する説明図であって、左リンク機構が第３位置に位置し、現像カップリングが内方位置に位置した状態を示す説明図である。図２３Ｂは、本発明の第２実施形態の現像カートリッジの左リンク機構を説明する説明図であって、左リンク機構が第４位置に位置し、現像カップリングが外方位置に位置した状態を示す説明図である。
【図２４】図２４は、左リンク機構の分解図である。
【図２５】図２５は、本発明の第３実施形態の現像カートリッジの駆動部を示し、右上方から見た斜視図である。
【図２６】図２６は、図２５に示す駆動部の分解斜視図である。
【図２７】図２７Ａは、ハンドル部材と本発明の第３実施形態の現像カートリッジの左連動機構との連動を説明する説明図であって、ハンドル部材が延出位置に位置し、カム部材が押圧位置に位置した状態を示す説明図である。図２７Ｂは、ハンドル部材と本発明の第３実施形態の現像カートリッジの左連動機構との連動を説明する説明図であって、ハンドル部材が傾倒位置に位置し、カム部材が押圧解除位置に位置した状態を示す説明図である。
【図２８】図２８は、図２７Ｂに示す駆動部を右上方から見た斜視図である。
【図２９】図２９は、図２７Ｂに示す駆動部のＢ−Ｂ断面図である。
【図３０】図３０は、現像カップリングから供給ギアへの駆動力の伝達を説明するための説明図である。
【図３１】図３１は、本発明の第３実施形態の駆動部の変形例を説明するための説明図である。
【図３２】図３２は、本発明の第４実施形態の現像カートリッジを説明するための説明図である。
【図３３】図３３は、図３２に示すギア列の分解斜視図である。
【図３４】図３４は、図３３に示すカップリング支持部材を説明するための説明図である。
【図３５】図３５Ａは、本発明の第５実施形態の現像カートリッジの駆動部を左前方から見た斜視図である。図３５Ｂは、図３５Ａの駆動部からカバーを外した状態で駆動部の前下方から見た斜視図である。
【図３６】図３６は、図３５Ｂに示す駆動部の左側面図である。
【図３７】図３７Ａは、図３６に示す駆動部のＣ-Ｃ断面図であって、現像カップリングおよび現像電極が内方位置に配置されている状態を示す断面図である。図３７Ｂは、図３６に示す駆動部のＣ-Ｃ断面図であって、現像カップリングおよび現像電極が外方位置に配置されている状態を示す断面図である。
【図３８】図３８は、図３５Ａに示すカバーの右下方から見た斜視図である。
【図３９】図３９Ａは、本発明の第５実施形態の現像カートリッジにおける現像カップリングおよび現像電極の移動を説明するための説明図であって、ハンドル部材が傾倒位置から延出位置へ移動する途中において、突起が直動カムの連結部に当接した状態を示す説明図である。図３９Ｂは、図３９Ａに示す状態において、本発明の第５実施形態の現像カートリッジにおける現像カップリングおよび現像電極の移動を説明するための説明図であって、現像電極が移動する前に、現像カップリングがわずかに左方へ移動した様子を示す説明図である。
【図４０】図４０Ａは、本発明の第５実施形態の現像カートリッジにおける現像カップリングおよび現像電極の移動を説明するための説明図であって、突起が直動カムの第２係合部の傾斜部分に当接した状態を示す説明図である。図４０Ｂは、図４０Ａに示す状態において、本発明の第５実施形態の現像カートリッジにおける現像カップリングおよび現像電極の移動を説明するための説明図であって、現像カップリングおよび現像電極が左方へ移動した様子を示す説明図である。
【図４１】図４１Ａは、本発明の第５実施形態の現像カートリッジにおける現像カップリングおよび現像電極の移動を説明するための説明図であって、ハンドル部材が傾倒位置に位置し、直動カムが押圧位置に位置した状態を示す説明図である。図４１Ｂは、本発明の第５実施形態の現像カートリッジにおける現像カップリングおよび現像電極の移動を説明するための説明図であって、図４１Ａに示す状態において、現像カップリングおよび現像電極が外方位置に位置した様子を示す説明図である。
【図４２】図４２Ａは、本発明の第６実施形態の現像カートリッジの駆動部を左前方から見た斜視図である。図４２Ｂは、図４２Ａに示す本発明の第６実施形態の現像カートリッジのカバーを外した状態を示す斜視図である。
【図４３】図４３Ａは、図４２Ｂに示す左直動カムの移動を説明する説明図であって、左直動カムが押圧解除位置に位置し、規制部材が規制解除位置に位置した状態を示す説明図である。図４３Ｂは、図４２Ｂに示す左直動カムの移動を説明する説明図であって、左直動カムが押圧位置に位置し、規制部材が規制解除位置に位置した状態を示す説明図である。図４３Ｃは、図４２Ｂに示す左直動カムの移動を説明する説明図であって、左直動カムが押圧位置に位置し、規制部材が規制位置に位置した状態を示す説明図である。
【図４４】図４４は、第７実施形態の現像カートリッジを示す左前方から見た斜視図である。
【図４５】図４５は、図４４に示す駆動部の分解斜視図である。
【図４６】図４６Ａは、図４５に示す現像カートリッジの係合シャフトの移動を説明する説明図であって、係合シャフトが係合解除位置に位置した状態を示す説明図である。図４６Ｂは、図４５に示す現像カートリッジの係合シャフトの移動を説明する説明図であって、係合シャフトが係合位置に位置した状態を示す説明図である。
【図４７】図４７Ａは、図４４に示す駆動部のＤ−Ｄ断面図であって、係合シャフトが係合解除位置に位置した状態を示す説明図である。図４７Ｂは、図４４に示す駆動部のＤ−Ｄ断面図であって、係合シャフトが係合位置に位置した状態を示す説明図である。
【図４８】図４８Ａは、本発明の第７実施形態の現像カートリッジにおけるハンドル部材が延出位置に配置された状態の現像カートリッジの本体ケーシングへの装着を説明する説明図であって、現像カートリッジが本体ケーシングの前方に配置した状態を示す説明図である。図４８Ｂは、本発明の第７実施形態の現像カートリッジにおけるハンドル部材が延出位置に配置された状態の現像カートリッジの本体ケーシングへの装着を説明する説明図であって、現像カートリッジが本体ケーシング内に挿入され、係合シャフトがガイド溝内に配置された状態を示す説明図である。図４８Ｃは、本発明の第７実施形態の現像カートリッジにおけるハンドル部材が延出位置に配置された状態の現像カートリッジの本体ケーシングへの装着を説明する説明図であって、係合シャフトがガイド溝の傾斜面によって係合解除位置から係合位置へ移動される様子を示す説明図である。
【図４９】図４９Ａは、本発明の第７実施形態の現像カートリッジにおけるハンドル部材が傾倒位置に配置された状態の現像カートリッジの本体ケーシングへの装着を説明する説明図であって、現像カートリッジが本体ケーシングの前方に配置した状態を示す説明図である。図４９Ｂは、本発明の第７実施形態の現像カートリッジにおけるハンドル部材が傾倒位置に配置された状態の現像カートリッジの本体ケーシングへの装着を説明する説明図であって、現像カートリッジが本体ケーシング内に挿入される途中において、係合シャフトが本体ケーシングの側壁に当接した状態を示す説明図である。
【図５０】図５０Ａは、本発明の現像電極の変形例を説明する説明図であり、導電部材の接触部が厚い絶縁部材に覆われた現像電極を示す説明図である。図５０Ｂは、図５０Ａに示す現像電極の分解図である。
【図５１】図５１Ａは、本発明の現像電極の変形例を説明する説明図であり、導電部材の接触部が薄い絶縁部材に覆われた現像電極を示す説明図である。図５１Ｂは、図５１Ａに示す現像電極の分解図である。
【図５２】図５２Ａは、現像電極の変形例を説明する説明図であり、導電部材が先細り形状を有する現像電極を示す説明図である。図５２Ｂは、図５２Ａに示す現像電極の分解図である。
【図５３】図５３Ａは、現像電極の変形例を説明する説明図であり、導電部材がワイヤである現像電極を示す説明図である。図５３Ｂは、図５３Ａに示す現像電極の分解図である。
【図５４】図５４Ａは、現像電極の変形例を説明する説明図であり、導電部材が内方位置に位置した状態を示す説明図である。図５４Ｂは、現像電極の変形例を説明する説明図であり、導電部材が外方位置に位置した状態を示す説明図である。
【図５５】図５５Ａは、図５４Ｂに示す現像電極の組み付け状態を説明する説明図であり、現像電極が駆動部カバーに組み付けられた状態を示す説明図である。図５５Ｂは、図５４Ｂに示す現像電極の組み付け状態を説明する説明図であり、現像電極が分解された状態を示す説明図である。
【図５６】図５６Ａは、図５４Ｂに示す現像電極の断面図を示し、導電部材が内方位置に位置した状態を示す断面図である。図５６Ｂは、図５４Ｂに示す現像電極の断面図を示し、導電部材が外方位置に位置した状態を示す断面図である。
【図５７】図５７Ａは、現像電極の変形例を説明する説明図であり、導電部材が内方位置に位置した状態を示す説明図である。図５７Ｂは、現像電極の変形例を説明する説明図であり、導電部材が外方位置に位置した状態を示す説明図である。
【図５８】図５８Ａは、現像電極の変形例を説明する説明図であり、導電部材が内方位置に位置した状態を示す説明図である。図５８Ｂは、現像電極の変形例を説明する説明図であり、導電部材が外方位置に位置した状態を示す説明図である。
【発明を実施するための形態】
【００５５】
１．現像カートリッジの概略
図１を用いて、本発明の第１実施形態を適用した現像カートリッジ７Ａについての概略を説明する。
【００５６】
なお、以下の説明において、現像カートリッジ７Ａの方向に言及するときには、現像カートリッジ７Ａを水平に載置した状態を上下の基準とする。すなわち、図１の紙面上側が上方であり、紙面下側が下方である。また、図１の紙面右側が前方であり、図１の紙面左側が後方である。また、現像カートリッジ７Ａを前方から見たときを左右の基準とする。すなわち、図１の紙面手前側が左方であり、紙面奥側が右方である。
【００５７】
現像カートリッジ７Ａは、現像ローラ１１と、供給ローラ１２と、層厚規制ブレード１３と、トナー収容部１４と、アジテータ６とを備えている。
【００５８】
現像ローラ１１は、現像カートリッジ７Ａの後端部において回転可能に支持されている。現像ローラ１１の一部は、現像カートリッジ７Ａの後端部の開口から露出している。
【００５９】
供給ローラ１２は、現像ローラ１１の前下方において、現像カートリッジ７Ａに回転可能に支持されている。供給ローラ１２は、現像ローラ１１の前下方部分と接触している。
【００６０】
層厚規制ブレード１３は、現像ローラ１１の上方に配置されている。層厚規制ブレード１３は、左右方向に長手の略平板形状を有している。層厚規制ブレード１３の下端部は、現像ローラ１１の前方部分と接触されている。
【００６１】
トナー収容部１４は、供給ローラ１２および層厚規制ブレード１３の前方に配置されている。トナー収容部１４は、トナーを収容するように構成されている。
【００６２】
アジテータ６は、トナー収容部１４内において回転するように構成されている。
【００６３】
アジテータ６は、トナー収容部１４内のトナーを撹拌するとともに、撹拌されたトナーを供給ローラ１２に供給するように構成されている。供給ローラ１２は、供給されたトナーを現像ローラ１１に供給するとともに、供給ローラ１２と現像ローラ１１との間でトナーを正極性に摩擦帯電するように構成されている。層厚規制ブレード１３は、現像ローラ１１上に担持されたトナーを一定厚さに規制するように構成されている。
２．プリンタの全体構成
図２を用いて、現像カートリッジ７を使用する電子写真方式の画像形成装置の一例としてのプリンタ１について説明する。
【００６４】
プリンタ１は、電子写真方式のモノクロプリンタである。プリンタ１は、略ボックス形状の本体ケーシング２と、プロセスカートリッジ５とを備えている。
【００６５】
本体ケーシング２は、前壁と、後壁と、上壁と、下壁と、左壁と、右壁と、フロントカバー４とを有している。前壁は、前後方向に貫通する開口部３を有している。開口部３は、プロセスカートリッジ５が本体ケーシング２内と本体ケーシング２外との間を移動できるように構成されている。
【００６６】
フロントカバー４は、その下端部を支点として前壁に揺動可能に支持されている。フロントカバー４は、開口部３を開放または閉鎖するように構成されている。
【００６７】
プロセスカートリッジ５は、ドラムカートリッジ２０と、現像カートリッジ７Ａとを備えている。
【００６８】
ドラムカートリッジ２０は、感光ドラム８と、スコロトロン型帯電器９と、転写ローラ１０と、収容部２０Ａとを備えている。
【００６９】
感光ドラム８は、プロセスカートリッジ５の後端部に回転可能に支持されている。感光ドラム８は、左右方向に長手の略円筒形状を有している。
【００７０】
スコロトロン型帯電器９は、感光ドラム８の後上方において、感光ドラム８と間隔を隔てて配置されている。
【００７１】
転写ローラ１０は、感光ドラム８の下方に配置され、感光ドラム８の下端部と接触している。
【００７２】
収容部２０Ａは、現像カートリッジ７を着脱可能に収容するように構成されている。
【００７３】
次に、プロセスカートリッジ５の本体ケーシング２に対する離脱について説明する。
【００７４】
本体ケーシング２内に装着されたプロセスカートリッジ５は、フロントカバー４が開口部３を開放した際に、操作者によって、開口部３を介して本体ケーシング２の外に取り外される。現像カートリッジ７は、操作者によって、本体ケーシング２の外に取り外されたプロセスカートリッジ５のドラムカートリッジ２０から取り外される。これにより、現像カートリッジ７の交換が可能となる。
【００７５】
次に、プロセスカートリッジ５の本体ケーシング２に対する装着について説明する。
【００７６】
現像カートリッジ７は、ドラムカートリッジ２０に装着される。現像カートリッジ７が装着されたプロセスカートリッジ５は、開口部３を介して本体ケーシング２内に装着される。
３．現像カートリッジ
次に、図１〜図２１を用いて、現像カートリッジ７Ａの詳細構成を説明する。
【００７７】
現像カートリッジ７Ａは、図３に示すように、現像ローラ１１および供給ローラ１２を支持するフレーム２１と、フレーム２１の左方に配置される駆動部２２と、フレーム２１の右方に配置される受電部２３と、フレーム２１の前方に配置される操作部２４とをさらに備えている。
（１）フレーム
フレーム２１は、図１および図３に示すように、左右方向に延びる略ボックス形状を有している。フレーム２１は、第１フレーム２５と、第２フレーム２６とを備えている。
（１−１）第１フレーム
第１フレーム２５は、図１および図４に示すように、上方および後方に向かって開放された有底枠形状を有している。第１フレーム２５は、１対の側壁２７と、前壁２８と、下壁２９とを一体的に備えている。なお、以下の説明において、１対の側壁２７のうち、左方の側壁２７を左壁２７Ｌと記載し、右方の側壁２７を右壁２７Ｒと記載する。
（１−１−１）側壁
１対の側壁２７のそれぞれは、互いに左右方向に間隔を隔てて配置されている。１対の側壁２７のそれぞれは、上下前後に延びる側面視略矩形の平板形状を有している。１対の側壁２７のそれぞれは、穴３０と、溝３１とを有している。また、左壁２７Ｌは、１対の突起３３を備えている。
【００７８】
穴３０は、側壁２７の下方後端部に配置されている。穴３０は、１対の側壁２７のそれぞれを左右方向に貫通している。穴３０は、側面視略矩形状を有している。穴３０の各辺の寸法は、後述する供給ローラ軸１２１の直径よりも長い。
【００７９】
溝３１は、１対の側壁２７のそれぞれの後端部から前方に向かって切り欠かれている。溝３１は、後端部が開放される側面視略Ｕ字形状を有している。溝３１の上下方向の高さは、後述する現像ローラ軸１１１の左右方向端部の直径よりも長い。
【００８０】
１対の突起３３のそれぞれは、互いに前後方向に間隔を隔てて穴３０の前方に配置されている。１対の突起３３のそれぞれは、左壁２７Ｌの下端部から左方へ突出している。１対の突起３３のそれぞれは、左右方向に延びる略円筒形状を有している。
（１−１−２）前壁
前壁２８は、１対の側壁２７のそれぞれの前端部間に架設されている。前壁２８は、上下方向に延びる略平板形状を有している。
（１−１−３）下壁
下壁２９は、１対の側壁２７のそれぞれの下端部間に架設されている。下壁２９は、前後方向に屈曲しながら延びる略平板形状を有している。下壁２９は、第１部分２９Ａと、第２部分２９Ｂと、第３部分２９Ｃと、複数の補強リブ３２とを備えている。
【００８１】
第１部分２９Ａは、前壁２８の下端部から後方へ向かって湾曲しながら延びている。第１部分２９Ａの後端部は、供給ローラ１２の前方に配置されている。第１部分２９Ａは、トナー収容部１４の下壁を構成する。
【００８２】
第２部分２９Ｂは、第１部分２９Ａの後端部から、供給ローラ１２の周面に沿うように後方へ向かって湾曲しながら延びている。第２部分２９Ｂの後端部は、現像ローラ１１と供給ローラ１２との接触部分の下方に配置されている。第２部分２９Ｂは、供給ローラ１２を下方から被覆する。
【００８３】
第３部分２９Ｃは、第２部分２９Ｂの後端部から後方へ向かって延びている。第３部分２９Ｃの後端部は、現像ローラ１１の後端部よりも後方に配置されている。第３部分２９Ｃは、現像ローラ１１を下方から被覆する。
【００８４】
複数の補強リブ３２は、互いに間隔を隔てて左右方向に並列に配置されている。補強リブ３２は、下壁２９の後端部の下面から下方へ突出し、第１部分２９Ａの後端部から第３部分２９Ｃの後端部にわたって前後方向に延びている。補強リブ３２は、略平板形状を有している。
（１−２）第２フレーム
第２フレーム２６は、図１および図３に示すように、第１フレーム２５の１対の側壁２７および前壁２８の上端部の上方に配置されている。第２フレーム２６は、前後左右に延びる略平板形状を有している。第２フレーム２６は、その周縁部において、溶着などの方法により第１フレーム２５の１対の側壁２７および前壁２８の上端部に固定されている。
（１−３）現像ローラおよび供給ローラ
現像ローラ１１は、現像ローラ軸１１１と、現像ローラ本体１１２と、左カラー４９と、右カラー７７とを備えている。
【００８５】
現像ローラ軸１１１は、図８、図１１および図１２に示すように、左右方向に延びる略円柱形状を有している。すなわち、現像ローラ軸１１１の中心軸線Ａ１は、左右方向に延びている。現像ローラ軸１１１は、金属からなる。現像ローラ軸１１１の左右方向端部は、フレーム２１の溝３１を介して、フレーム２１の側壁２７よりも左右方向外方へ突出している。現像ローラ軸１１１は、支持部１１１Ａと、支持部１１１Ｂとを備えている。
【００８６】
支持部１１１Ａは、側壁２７よりも左右方向外方に露出された現像ローラ軸１１１の左右方向両端部の部分に配置されている。支持部１１１Ａは、断面視略Ｄ字形状を有している。
【００８７】
支持部１１１Ｂは、現像ローラ軸１１１の両端部の支持部１１１Ａから左右方向外方へ延びている。支持部１１１Ｂは、略円柱形状を有している。支持部１１１Ｂの外径は、支持部１１１Ａの外径よりも小さい。
【００８８】
現像ローラ本体１１２は、導電性を有するゴムローラである。現像ローラ本体１１２は、左右方向に延びる略円筒形状を有している。現像ローラ本体１１２は、現像ローラ軸１１１の支持部１１１Ａおよび支持部１１１Ｂを露出するように、現像ローラ軸１１１を被覆している。
【００８９】
左カラー４９は、後述する現像ギア４５の左方に配置されている。左カラー４９は、左右方向に延びる略円筒形状を有している。左カラー４９は、現像ローラ軸１１１の左端部の支持部１１１Ｂ（図示せず）にはまっている。
【００９０】
右カラー７７は、現像ローラ軸１１１の右端部に配置されている。右カラー７７は、左右方向に延びる略円筒形状を有している。右カラー７７は、現像ローラ軸１１１の右端部の支持部１１１Ｂにはまっている。
【００９１】
供給ローラ１２は、図１に示すように、供給ローラ軸１２１と、供給ローラ本体１２２とを備えている。
【００９２】
供給ローラ軸１２１は、図８および図１１に示すように、左右方向に延びる略円柱形状を有している。すなわち、供給ローラ軸１２１の中心軸線Ａ２は、左右方向に延びている。供給ローラ軸１２１は、金属からなる。供給ローラ軸１２１の左右方向端部は、フレーム２１の穴３０を介して、フレーム２１の側壁２７よりも左右方向外方へ突出している。供給ローラ軸１２１は、支持部１２１Ａと、支持部１２１Ｂと、支持部１２１Ｃとを備えている。
【００９３】
支持部１２１Ａは、供給ローラ軸１２１の右端部において、右壁２７Ｒよりも右方に露出されている。支持部１２１Ａは、断面視略Ｄ字形状を有している。
【００９４】
支持部１２１Ｂは、支持部１２１Ａから右方へ延びている。支持部１２１Ｂは、略円柱形状を有している。支持部１２１Ｂの外径は、支持部１２１Ａの外径よりも小さい。
【００９５】
支持部１２１Ｃは、供給ローラ軸１２１の左端部において、左壁２７Ｌよりも左方に露出されている。支持部１２１Ｃは、断面視略Ｄ字形状を有している。
【００９６】
供給ローラ本体１２２は、導電性を有するスポンジローラである。供給ローラ本体１２２は、左右方向に延びる略円筒形状を有している。供給ローラ本体１２２は、供給ローラ軸１２１の支持部１２１Ａ、支持部１２１Ｂおよび支持部１２１Ｃを露出するように、供給ローラ軸１２１を被覆している。
（２）駆動部
駆動部２２は、図５および図６に示すように、軸受部材３６と、第１ギア列３７と、圧縮ばね３９と、左直動カム３８と、カバー４０とを備えている。
（２−１）軸受部材
軸受部材３６は、図７および図８に示すように、左壁２７Ｌの後端部に支持されている。軸受部材３６は、上下方向に延びる側面視略矩形の平板形状を有している。軸受部材３６は、穴４１と、穴４２と、ガイドリブ４３とを有している。
【００９７】
穴４１は、軸受部材３６の後端部に配置されている。穴４１は、軸受部材３６を左右方向に貫通するように構成されている。穴４１は、側面視略円形状を有している。穴４１の内径は、現像ローラ軸１１１の外径よりもわずかに大きい。
【００９８】
穴４２は、穴４１の前下方に配置されている。穴４２は、軸受部材３６を左右方向に貫通するように構成されている。穴４２は、側面視略円形状を有している。穴４２の内径は、供給ローラ軸１２１の外径よりもわずかに大きい。
【００９９】
ガイドリブ４３は、上ガイドリブ４３Ａと下ガイドリブ４３Ｂとを有する。上ガイドリブ４３Ａは、上下方向において、穴４２を挟んで下ガイドリブ４３Ｂと反対側に配置されている。上ガイドリブ４３Ａおよび下ガイドリブ４３Ｂは、軸受部材３６の左面から左方へ突出し、前後方向に延びている。上ガイドリブ４３Ａおよび下ガイドリブ４３Ｂの前端部は、軸受部材３６の前端部に配置されている。上ガイドリブ４３Ａの後端部は、穴４２の上方に配置されている。下ガイドリブ４３Ｂの後端部は、軸受部材３６の後端部に配置されている。
（２−２）第１ギア列
第１ギア列３７は、現像カップリング４４と、現像ギア４５とを備えている。
（２−２−１）現像カップリング
現像カップリング４４は、左右方向に延びる略円柱形状を有している。現像カップリング４４は、図１４に示すように、供給ローラ軸１２１に対して相対回転可能となるように供給ローラ軸１２１の支持部１２１Ｃに支持されている。現像カップリング４４の回転中心Ｃは、供給ローラ軸１２１の中心軸線Ａ２と一致している。現像カップリング４４は、図１に仮想線で示すように、左右方向に投影したときに、フレーム２１の下壁２９の第２部分２９Ｂに重なるように配置されている。
【０１００】
現像カップリング４４は、左右方向に沿って、内方位置（図１４参照）と、外方位置（図１９参照）との間を移動可能である。現像カップリング４４の内方位置から外方位置への移動距離Ｄ１は、例えば、５ｍｍ以上、３０ｍｍ以下である。現像カップリング４４の移動距離Ｄ１は、後述する現像カップリング４４のギア部４６の外径に対して、例えば、１．５倍以上、２倍以下である。
【０１０１】
現像カップリング４４の左端縁４４Ａは、現像カップリング４４が内方位置に位置しているときには、図６および図１４に示すように、カバー４０の左面、および、現像ローラ１１の左カラー４９の左面とほぼ同じ左右方向位置に位置している。現像カップリング４４の左端縁４４Ａは、現像カップリング４４が外方位置に位置しているときには、図１７および図１９に示すように、カバー４０の左面、および、現像ローラ１１の左カラー４９の左面よりも左方に位置している。すなわち、現像カップリング４４の外方位置は、現像カップリング４４の内方位置よりも左右方向外方に位置している。
【０１０２】
現像カップリング４４は、図８、図９および図１４に示すように、ギア部４６と、カップリング部４７と、穴５０とを有している。
【０１０３】
ギア部４６は、現像カップリング４４の右端部に配置されている。ギア部４６は、左右方向に厚みを有する略円板形状を有している。また、ギア部４６は、その周面すべてにわたってギア歯を備えている。ギア歯は、左ねじれのはす歯である。
【０１０４】
ギア部４６は、現像カップリング４４が内方位置に位置しているときには、図６および図１４に示すように、現像ギア４５の右端部と噛合している。ギア部４６は、現像カップリング４４が外方位置に位置しているときには、図１７および図１９に示すように、現像ギア４５の左端部と噛合している。
【０１０５】
カップリング部４７は、ギア部４６の左面から左方へ突出している。カップリング部４７は、略円柱形状を有している。カップリング部４７の外径は、ギア部４６の外径よりも小さい。カップリング部４７の中心軸線は、ギア部４６の中心軸線と一致している。カップリング部４７は、凹部４８を備えている。
【０１０６】
凹部４８は、カップリング部４７の左面から右方へ凹んでいる。凹部４８は、カップリング部４７の径方向に延びる側面視略長穴形状を有している。
【０１０７】
穴５０は、図１４に示すように、現像カップリング４４の右面から左方へ向かって凹んでいる。穴５０は、側面視略円形状を有している。穴５０の直径は、供給ローラ軸１２１の外径よりもわずかに大きい。穴５０は、供給ローラ軸１２１の支持部１２１Ｃを受け入れる。
（２−２−２）現像ギア
現像ギア４５は、図７および図８に示すように、左右方向に延びる略円柱形状を有している。現像ギア４５は、その径方向中央において、側面視略Ｄ字形状の図示しない貫通穴を有している。現像ギア４５は、図６および図８に示すように、現像ローラ軸１１１の左端部の支持部１１１Ａに支持されている。この状態において、現像ローラ軸１１１の左端部の支持部１１１Ａは、現像ギア４５の図示しない貫通穴内にはまっている。これにより、現像ギア４５は、現像ローラ軸１１１に対して相対回転不能であり、現像ローラ軸１１１とともに回転可能である。現像ギア４５の左右方向の寸法は、カップリング部４７のギア部４６の左右方向の寸法よりも長い。現像ギア４５は、その周面すべてにわたってギア歯を備えている。ギア歯は、図９に示すように、右ねじれのはす歯である。
（２−３）圧縮ばね
圧縮ばね３９は、図６に示すように、コイルばねである。圧縮ばね３９の径は、現像カップリング４４のカップリング部４７の外径よりも大きく、かつ、ギア部４６の外径よりも小さい。圧縮ばね３９は、現像カップリング４４のカップリング部４７に支持されている。圧縮ばね３９の右端部は、図１４に示すように、現像カップリング４４のギア部４６の左面と当接している。圧縮ばね３９の左端部は、カバー４０の開口６２の周縁部と当接している。
【０１０８】
これにより、圧縮ばね３９は、現像カップリング４４を常に内方位置へ向かって付勢している。
（２−４）左直動カム
左直動カム３８は、図７および図８に示すように、前後方向に延びる略平板形状を有している。左直動カム３８は、１対の突起３３の上方において、左壁２７Ｌに支持されている。左直動カム３８は、前後方向に沿って、現像カップリング４４を左方へ押圧する押圧位置（図１７参照）と、現像カップリング４４に対する左方への押圧を解除する押圧解除位置（図６参照）との間を移動可能である。左直動カム３８は、接触部５１と、連結部５３と、接触部５２とを備えている。
（２−４−１）接触部
接触部５１は、左直動カム３８の後端部に配置されている。接触部５１は、後方が開放された側面視略Ｕ字形状を有している。接触部５１は、上ガイドリブ４３Ａと下ガイドリブ４３Ｂとの間に配置されている。接触部５１は、変位部５４と、保持部５５とを備えている。
【０１０９】
変位部５４は、接触部５１の後端部に配置されている。変位部５４の左面は、後方から前方へ向かうにつれて左方へ傾斜している。言い換えると、変位部５４の突出長さは、後方から前方へ向かうにつれて次第に長くなっている。
【０１１０】
保持部５５は、変位部５４の後方に連続している。保持部５５の左面は、変位部５４の左面の前端部に連続して、前後方向に延びている。
（２−４−２）連結部
連結部５３は、接触部５１の前端部から連続して前方へ延びている。連結部５３は、前後方向に長い側面視略矩形状を有している。連結部５３は、突部６０を備えている。
【０１１１】
突部６０は、連結部５３の前後方向略中央から下方へ突出している。突部６０は、側面視略矩形状を有している。突部６０は、１対の突起３３の間に配置されている。
（２−４−３）接触部
接触部５２は、左直動カム３８の前端部に配置されている。接触部５２は、下方が開放された側面視略Ｕ字形状を有している。接触部５２は、第１係合部５６と、スペーサ部５９と、第２係合部５７とを備えている。
【０１１２】
第１係合部５６は、傾斜部分５６Ａと、垂直部分５６Ｂとを備えている。傾斜部分５６Ａは、連結部５３の前端部から前上方へ延びている。垂直部分５６Ｂは、傾斜部分５６Ａの前上方端部から上方へ延びている。垂直部分５６Ｂは、突起５８を備えている。突起５８は、垂直部分５６Ｂの上下方向略中央に配置されている。突起５８は、垂直部分５６Ｂの前端縁から前方へ突出している。突起５８は、側面視略半円形状を有している。
【０１１３】
スペーサ部５９は、第１係合部５６の上端部から前方へ延びている。スペーサ部５９の前後方向長さは、操作部２４の後述する突起１０５の直径よりも長い。
【０１１４】
第２係合部５７は、垂直部分５７Ａと、傾斜部分５７Ｂとを備えている。垂直部分５７Ａは、スペーサ部５９の前端部から下方へ延びている。傾斜部分５７Ｂは、垂直部分５７Ａの下端部から前下方へ延び、その前下方端部において下方へ屈曲して下方へ延びている。
（２−５）カバー
カバー４０は、図５に示すように、右端部および前端部が開放された略ボックス形状を有している。カバー４０は、図示しないねじによりフレーム２１の左壁２７Ｌに固定されている。カバー４０は、開口６１と、開口６２とを有している。
【０１１５】
開口６１は、カバー４０の後端部から前方へ向かって切り欠かれている。開口６１は、後方へ向かって開放される側面視略Ｃ字形状を有している。開口６１の内径は、現像ギア４５の外径よりも大きい。開口６１は、現像ギア４５の一部を露出するように構成されている。
【０１１６】
開口６２は、開口６１の前下方に配置されている。開口６２は、現像カップリング４４が内方位置と外方位置との間を移動できるように、カバー４０の左壁を貫通している。開口６２は、側面視略円形状を有している。
（３）受電部
受電部２３は、図１０および図１１に示すように、第２ギア列６６と、支持部材６７と、現像電極６５と、圧縮ばね６４と、右直動カム６８と、カバー６９とを備えている。
（３−１）第２ギア列
第２ギア列６６は、図１１に示すように、第１アイドルギア７０と、第２アイドルギア７１と、供給ギア７２とを備えている。
【０１１７】
第１アイドルギア７０は、左右方向に厚みを有する略円板形状を有している。なお、第１アイドルギア７０は、その径方向中央において、側面視略Ｄ字形状の図示しない貫通穴を有している。第１アイドルギア７０は、その周面すべてにわたってギア歯を備えている。第１アイドルギア７０は、現像ローラ軸１１１の支持部１１１Ａに支持されている。第１アイドルギア７０の図示しない貫通穴は、第１アイドルギア７０が現像ローラ軸１１１に対して相対回転不能となるように支持部１１１Ａとはまる。
【０１１８】
第２アイドルギア７１は、左右方向に厚みを有する略円板形状を有している。第２アイドルギア７１は、第１アイドルギア７０の前端部と噛合している。第２アイドルギア７１は、その径方向中央において、側面視略円形状の貫通穴７１Ａを有している。第２アイドルギア７１は、その周面すべてにわたってギア歯を備えている。第２アイドルギア７１は、支持部材６７の後述する突起７３に支持されている。第２アイドルギア７１の貫通穴７１Ａは、突起７３に対して相対回転可能となるように支持部１２１Ａとはまる。
【０１１９】
供給ギア７２は、左右方向に厚みを有する略円板形状を有している。供給ギア７２は、第２アイドルギア７１の前下方端部と噛合している。供給ギア７２は、その径方向中央において、側面視略Ｄ字形状の貫通穴７２Ａを有している。供給ギア７２は、その周面すべてにわたってギア歯を備えている。供給ギア７２は、供給ローラ軸１２１の支持部１２１Ａに支持されている。供給ギア７２の貫通穴７２Ａは、供給ギア７２が供給ローラ軸１２１に対して相対回転不能となるように、支持部１２１Ａにはまる。
（３−２）支持部材
支持部材６７は、図１１および図１４に示すように、第２ギア列６６の右方に配置されている。支持部材６７は、側面視略矩形の平板形状を有している。支持部材６７は、例えば、導電性樹脂などの導電性材料からなる。支持部材６７は、穴７５と、突起７３と、穴７８と、突起７４とを有している。
【０１２０】
穴７５は、支持部材６７の後上方端部に配置されている。穴７５は、支持部材６７を左右方向に貫通している。穴７５は、側面視略円形状を有している。穴７５の大きさは、現像ローラ軸１１１の大きさよりもわずかに大きい。
【０１２１】
突起７３は、支持部材６７の前上方端部に配置されている。突起７３は、支持部材６７の左面から左方へ突出している。突起７３は、略円筒形状を有している。
【０１２２】
穴７８は、支持部材６７の前下方端部に配置されている。穴７８は、支持部材６７を左右方向に貫通している。穴７８は、側面視略円形状を有している。穴７８の大きさは、供給ローラ軸１２１の支持部１２１Ｂの大きさよりもわずかに大きい。
【０１２３】
突起７４は、穴７８の周縁部から右方へ突出している。突起７４は、略円筒形状を有している。突起７４の上下方向高さは、現像電極６５の後述する支持部９２の上下方向高さとほぼ同じである。突起７４は、１対の溝７６を有している。
【０１２４】
１対の溝７６のそれぞれは、突起７４の上端部と下端部とにそれぞれ配置されている。１対の溝７６のそれぞれは、突起７４の径方向において突起７４の周壁を貫通するように、突起７４の右端部から左方へ向かって切り欠かれている。１対の溝７６のそれぞれは、右端部が開放された平面視略直線形状を有している。溝７６の前後方向の寸法は、現像電極６５の後述する支持部９２の前後方向の寸法よりもわずかに長い。
（３−３）現像電極
現像電極６５は、正面視略Ｔ字形状を有している。現像電極６５は、例えば、金属や導電性樹脂などの導電性材料からなる。現像電極６５は、左右方向に沿って現像カップリング４４を投影したときに、現像カップリング４４と重なっている。現像電極６５は、左右方向に沿って、内方位置（図１２参照）と、外方位置（図１８参照）との間を移動可能である。現像電極６５の内方位置から外方位置への移動距離Ｄ２は、例えば、５ｍｍ以上、３０ｍｍ以下である。現像電極６５は、支持部９２と、接触部９１と、接触部９３とを備えている。
（３−３−１）支持部
支持部９２は、現像電極６５の左端部に配置されている。支持部９２は、上下方向に延びる正面視略矩形の平板形状を有している。支持部９２は、溝７６内に位置している。
（３−３−２）接触部
接触部９１は、支持部９２の上下方向中央から右方へ延びている。接触部９１は、左右方向に長手の略円柱形状を有している。接触部９１は、図１１および図１４に示すように、供給ローラ軸１２１の中心軸線Ａ２と一致するように配置されている。言い換えると、接触部９１は、現像カップリング４４の回転中心Ｃ上に配置されている。接触部９１の直径は、例えば、０．０１ｍｍ以上、３ｍｍ以下である。接触部９１は、右端部において、本体電極１１７と接触する接点９１Ａを有している。
【０１２５】
接点９１Ａは、現像電極６５が内方位置に位置しているときには、現像ローラ１１の右カラー７７の右面よりも左方に位置している。接点９１Ａは、図１８および図１９に示すように、現像電極６５が外方位置に位置しているときには、現像ローラ１１の右カラー７７の右面よりも右方に位置している。すなわち、現像電極６５の外方位置は、現像電極６５の内方位置よりも左右方向外方に位置している。
（３−３−３）接触部
接触部９３は、上方接触部９３Ａと下方接触部９３Ｂとを有する。上方接触部９３Ａは、支持部９２の上端部から上方へ向かって延びている。上方接触部９３Ａは、突起７４の上端部よりも上方へ突出している。下方接触部９３Ｂは、支持部９２の下端部から下方へ向かって延びている。下方接触部９３Ｂは、突起７４の下端部よりも下方へ突出している。上方接触部９３Ａおよび下方接触部９３Ｂは、略角柱形状を有している。
【０１２６】
現像電極６５は、図１１および図１８に示すように、突起７４内に支持されている。
（３−４）圧縮ばね
圧縮ばね６４は、コイルばねである。圧縮ばね６４の径は、突起７４の外径よりも大きく、かつ、現像電極６５の上下方向長さよりも小さい。圧縮ばね６４は、突起７４に対して突起７４の径方向外方から遊嵌されている。圧縮ばね６４は、その左端部において支持部材６７に右方から当接し、その右端部において現像電極６５の接触部９３に左方から当接している。圧縮ばね６４は、現像電極６５を常に外方位置へ向かって付勢している。
（３−５）右直動カム
右直動カム６８は、図１１および図１３に示すように、前後方向に延びる略平板形状を有している。右直動カム６８は、図１２および図１４に示すように、カバー６９の右壁の左面に支持されている。右直動カム６８は、前後方向に沿って、現像電極６５を左方へ押圧する押圧位置（図１２参照）と、現像電極６５に対する左方への押圧を解除する押圧解除位置（図１８参照）との間を移動可能である。右直動カム６８は、接触部８１と、連結部８３と、接触部８２とを備えている。
（３−５−１）接触部
接触部８１は、右直動カム６８の後端部に配置されている。接触部８１は、側面視略矩形状を有している。接触部８１は、穴８４と、カム部８５とを有している。
【０１２７】
穴８４は、接触部８１を左右方向に貫通している。穴８４は、前後方向に延びる側面視略矩形状を有している。穴８４の大きさは、現像電極６５の接触部９１の大きさよりもわずかに大きい。
【０１２８】
カム部８５は、接触部８１の後端部に配置されている。カム部８５は、穴８４の後方半分の周縁部から左方へ突出している。カム部８５は、前方が開放された側面視略Ｕ字形状を有している。カム部８５は、変位部８６と、保持部８７とを備えている。
【０１２９】
変位部８６は、カム部８５の前端部に配置されている。変位部８６の左面は、前方から後方へ向かうにつれて左方へ傾斜している。言い換えると、変位部８６の突出長さは、前方から後方へ向かうにつれて次第に長くなっている。
【０１３０】
保持部８７は、変位部８６の後方に連続されている。保持部８７の左面は、変位部８６の左面の後端部に連続して、前後方向に延びている。
（３−５−２）連結部
連結部８３は、接触部８１の前端部から連続して前方へ延びている。連結部５３は、前後方向に長い側面視略矩形状を有している。
（３−５−３）接触部
接触部８２は、右直動カム６８の前端部に配置されている。接触部８２は、後方が開放された側面視略Ｃ字形状を有している。接触部８２は、第１係合部８８と、第２係合部８９とを備えている。
【０１３１】
第１係合部８８は、垂直部分８８Ａと、鉤状部分８８Ｂとを備えている。垂直部分８８Ａは、連結部８３の前端部から上方へ延びている。垂直部分８８Ａは、突起９０を備えている。突起９０は、第１係合部８８の垂直部分８８Ａの上下方向略中央に配置されている。突起９０は、垂直部分８８Ａの前端縁から前方へ突出している。突起９０は、側面視略半円形状を有している。鉤状部分８８Ｂは、垂直部分８８Ａの上端部から前方へ延び、その前端部において下方へ屈曲している。
【０１３２】
第２係合部８９は、連結部８３の前端部から前方へ延び、その前端部において上方へ屈曲している。
（３−４）カバー
カバー６９は、図１０および図１４に示すように、左端部と前端部とが開放された略ボックス形状を有している。カバー６９は、図示しないねじによりフレーム２１の右壁２７Ｒに固定されている。カバー６９は、第２ギア列６６、支持部材６７、圧縮ばね６４、現像電極６５、および、右直動カム６８を被覆するように構成されている。カバー６９は、開口９４と、突起９５とを有している。
【０１３３】
開口９４は、カバー６９の前端部に配置されている。開口９４は、カバー６９の右壁を左右方向に貫通している。開口９４は、側面視略円形状を有している。開口９４は、右カラー７７を露出するように構成されている。
【０１３４】
突起９５は、開口９４の前下方に配置されている。突起９５は、カバー６９の右壁から右方へ延びている。突起９５は、略円柱形状を有している。突起９５は、穴９６を有している。
【０１３５】
穴９６は、突起９５の径方向中央に配置されている。穴９６は、突起９５、および、カバー６９の右壁を左右方向に貫通している。穴９６は、側面視略円形状を有している。穴９６の大きさは、現像電極６５の接触部９１の大きさよりもわずかに大きい。
（４）操作部
操作部２４は、図１０および図１１に示すように、ハンドル部材１０１と、規制部材１０４と、圧縮ばね１０８とを備えている。なお、以下の操作部２４の説明において、操作部２４の方向に言及するときには、図１０に示す状態を基準とする。
（４−１）ハンドル部材
ハンドル部材１０１は、操作部２４の本体を構成する。ハンドル部材１０１は、左右方向に長い略角柱形状を有している。ハンドル部材１０１は、フレーム２１の前壁２８に支持されている。ハンドル部材１０１は、フレーム２１の前壁２８から後方へ向かって延びる延出位置（図１３参照）と、フレーム２１の前壁２８に沿って上下方向に垂下する傾倒位置（図１６Ｂ参照）との間をハンドル部材１０１の前端部を支点として揺動するように構成されている。ハンドル部材１０１は、把持部１０２と、１対のリンク部１０３とを備えている。
（４−１−１）把持部
把持部１０２は、ハンドル部材１０１の左右方向中央部分であり、穴１０９と、グリップ１１０とを有している。
【０１３６】
穴１０９は、ハンドル部材１０１の左右方向略中央に配置されている。穴１０９は、ハンドル部材１０１を上下方向に貫通している。穴１０９は、左右方向に長い平面視略矩形状を有している。
【０１３７】
グリップ１１０は、穴１０９の前方に配置されている。グリップ１１０は、穴１０９の前壁を構成する。グリップ１１０は、左右方向に長い略平板形状を有している。
（４−１−２）リンク部
リンク部１０３は、ハンドル部材１０１の後端部を中心とする略扇形状を有している。リンク部１０３は、左リンク部１０３Ａと、右リンク部１０３Ｂとを備えている。
【０１３８】
左リンク部１０３Ａは、ハンドル部材１０１の左端部から下方へ突出されている。左リンク部１０３Ａは、図６および図７に示すように、左直動カム３８の接触部５２の左方、かつ、カバー４０の右方に配置されている。左リンク部１０３Ａは、突起１０５Ａを備えている。
【０１３９】
突起１０５Ａは、左リンク部１０３Ａの下端部に配置されている。突起１０５Ａは、左リンク部１０３Ａの左右方向内面から左右方向内方へ突出している。突起１０５Ａは、略円柱形状を有している。突起１０５Ａは、第１係合部５６と第２係合部５７との間に配置されている。
【０１４０】
右リンク部１０３Ｂは、ハンドル部材１０１の右端部から下方へ突出されている。右リンク部１０３Ｂは、図１０および図１３に示すように、右直動カム６８の接触部８２の右方、かつ、カバー６９の右壁の左方に配置されている。右リンク部１０３Ｂは、突起１０５Ｂおよび支持部１０６を備えている。
【０１４１】
突起１０５Ｂは、右リンク部１０３Ｂの下端部に配置されている。突起１０５Ｂは、右リンク部１０３Ｂの左右方向内面から左右方向内方へ突出している。突起１０５Ｂは、略円柱形状を有している。突起１０５Ｂは、第１係合部８８と第２係合部８９との間に配置されている。
【０１４２】
支持部１０６は、右リンク部１０３Ｂの上下方向略中央に配置されている。支持部１０６は、右リンク部１０３Ｂの右面から左方に向かって凹む凹部である。支持部１０６は、側面視略円形状を有している。
（４−２）規制部材
規制部材１０４は、支持部１０６内に配置されている。規制部材１０４は、左右方向に延びる略円筒形状を有している。規制部材１０４は、係合爪１０７を備えている。
【０１４３】
係合爪１０７は、規制部材１０４の左端部から左方へ延びている。係合爪１０７の左端部は、規制部材１０４の径方向外方へ向かって屈曲する略鉤形状を有している。
（４−３）圧縮ばね
圧縮ばね１０８は、図１１に示すように、支持部１０６内に配置されている。圧縮ばね１０８は、左右方向に延びるコイルばねである。圧縮ばね１０８の左端部は、支持部１０６の左壁に当接している。また、圧縮ばね１０８の右端部は、規制部材１０４の右壁に当接している。これにより、圧縮ばね１０８は、規制部材１０４を常に右方へ付勢している。
３．現像カップリングおよび現像電極の進出または退避
（１）現像カップリングおよび現像電極の内方位置から外方位置への移動
次に、現像カップリング４４および現像電極６５の内方位置から外方位置への移動について説明する。
【０１４４】
現像カップリング４４および現像電極６５は、現像カートリッジ７Ａが本体ケーシング２内に収容される前の状態では、内方位置に配置されている。現像カップリング４４および現像電極６５が内方位置に配置されているときには、図１４に示すように、現像カップリング４４の左端縁４４Ａと、現像電極６５の接点９１Ａとの距離Ｗ１は、現像カートリッジ７Ａの左右方向長さＷ３よりも小さい。
【０１４５】
現像カートリッジ７Ａが本体ケーシング２の外に配置され、かつ、ハンドル部材１０１が延出位置に配置されているときには、規制部材１０４は、図１０に示すように、カバー６９の前方において、圧縮ばね１０８の付勢力により、支持部１０６から右方へ突出している。この状態で操作者がハンドル部材１０１を延出位置から傾倒位置へ向かって移動すると、規制部材１０４は、カバー６９の前端部に当接する。これにより、ハンドル部材１０１は、ハンドル部材１０１と左直動カム３８および右直動カム６８とが連動する前に、傾倒位置への移動を規制される。
【０１４６】
現像カートリッジ７Ａが本体ケーシング２内に装着されると、規制部材１０４は、規制部材１０４が圧縮ばね１０８の付勢力に抗して支持部１０６内に収容された状態となるように、本体ケーシング内の解除部材（図示せず）に付勢される。これにより、ハンドル部材１０１が延出位置から傾倒位置へ移動可能となる。
【０１４７】
その後、ハンドル部材１０１が延出位置から傾倒位置へ移動すると、図１５Ａおよび図１６Ａに示すように、ハンドル部材１０１の突起１０５Ａが左直動カム３８の連結部５３の後端部に前方から当接するとともに、ハンドル部材１０１の突起１０５Ｂが右直動カム６８の連結部８３の後端部に前方から当接する。
【０１４８】
さらに、ハンドル部材１０１が傾倒位置へ移動されると、突起１０５Ａは、図１５Ａおよび図１５Ｂに示すように、ハンドル部材１０１の後端部を支点として右側面視時計回り方向に移動しながら、左直動カム３８の第１係合部５６を、傾斜部分５６Ａ、垂直部分５６Ｂの順に、下方から上方へ摺動するように押圧する。
【０１４９】
これにより、左直動カム３８は、後方へ移動する。すると、現像カップリング４４は、左直動カム３８の変位部５４の傾斜に沿って、圧縮ばね３９の付勢力に抗して、左方へ移動する。
【０１５０】
そして、図１５Ｂに示すように、突起１０５Ａは、突起５８を乗り越えて突起５８よりも上方に位置する。
【０１５１】
また同時に、突起１０５Ｂは、図１６Ａおよび図１６Ｂに示すように、ハンドル部材１０１の後端部を支点として左側面視反時計回り方向に移動しながら、右直動カム６８の第１係合部８８を、下方から上方へ摺動するように押圧する。
【０１５２】
これにより、右直動カム６８は、後方へ移動する。すると、現像電極６５は、右直動カム６８の変位部８６の傾斜に沿って、圧縮ばね６４の付勢力により、右方へ移動する。
【０１５３】
そして、図１６Ｂに示すように、突起１０５Ｂは、突起９０を乗り越えて突起９０よりも上方に位置する。
【０１５４】
そして、ハンドル部材１０１が傾倒位置に位置すると、左直動カム３８は、図１７および図１９に示すように、押圧位置に位置し、現像カップリング４４のギア部４６は、左直動カム３８の接触部５１の保持部５５に当接し、外方位置に位置する。これにより、現像カップリング４４の内方位置から外方位置への移動が完了する。
【０１５５】
また、右直動カム６８は、図１８および図１９に示すように、押圧解除位置に位置し、現像電極６５は、右直動カム６８のカム部８５よりも前方に位置し、外方位置に位置する。これにより、現像電極６５の内方位置から外方位置への移動が完了する。
【０１５６】
なお、外方位置における現像カップリング４４の左端縁４４Ａと現像電極６５の接点９１Ａとの距離Ｗ２は、図１９に示すように、内方位置における現像カップリング４４の左端縁４４Ａと現像電極６５の接点９１Ａとの距離Ｗ１よりも長い。
（２）現像カップリングおよび現像電極の外方位置から内方位置への移動
次に、現像カップリング４４および現像電極６５の外方位置から内方位置への移動について説明する。
【０１５７】
ハンドル部材１０１が傾倒位置から延出位置へ移動すると、図２０Ａに示すように、ハンドル部材１０１の突起１０５Ａは、ハンドル部材１０１の後端部を支点として左側面視反時計回り方向に移動しながら、左直動カム３８の第２係合部５７の垂直部分５７Ａの下端部に後方から当接する。
【０１５８】
さらに、ハンドル部材１０１が延出位置へ移動すると、突起１０５Ａは、垂直部分５７Ａをわずかに前方へ押圧する。
【０１５９】
これにより、左直動カム３８は、わずかに前方へ移動する。
【０１６０】
さらに、ハンドル部材１０１が延出位置へ移動すると、図２０Ｂに示すように、突起１０５Ａは、左直動カム３８の第２係合部５７の傾斜部分５７Ｂの下端部に後方から当接する。
【０１６１】
さらに、ハンドル部材１０１が延出位置へ移動すると、図２０Ｃに示すように、左直動カム３８は、突起１０５Ａに押圧されて、前方へ移動する。すると、現像カップリング４４は、左直動カム３８の変位部５４の傾斜に沿って、圧縮ばね３９の付勢力により、右方へ移動する。
【０１６２】
また同時に、図２１Ａに示すように、突起１０５Ｂは、右直動カム６８の第２係合部８９の上端部に後方から当接する。
【０１６３】
右直動カム６８は、図２１Ｂに示すように、突起１０５Ｂに押圧されて、前方へ移動する。すると、現像電極６５は、右直動カム６８の変位部８６の傾斜に沿って、圧縮ばね６４の付勢力に抗して、左方へ移動する。
【０１６４】
そして、ハンドル部材１０１が延出位置に位置すると、図６に示すように、左直動カム３８は、押圧解除位置に位置し、現像カップリング４４は、左直動カム３８の接触部５１よりも後方に位置し、内方位置に位置する。これにより、現像カップリング４４の外方位置から内方位置への移動が完了する。
【０１６５】
また同時に、右直動カム６８は、図１２に示すように、押圧位置に位置し、現像電極６５は、現像電極６５の接触部９３が右直動カム６８のカム部８５の保持部８７に当接し、内方位置に位置する。これにより、現像電極６５の外方位置から内方位置への移動が完了する。
４．現像カートリッジの作動
次に、現像カップリング４４および現像電極６５が外方位置に位置するときに、本体ケーシング２内の駆動源から現像カップリング４４が駆動力を受ける状態および本体ケーシング２内の電源から現像電極６５が電力を受ける状態について説明をする。
【０１６６】
現像カップリング４４の凹部４８は、図１９に仮想線で示すように、本体ケーシング２内において、現像カップリング４４が外方位置に位置すると、本体ケーシング２の本体カップリング１１６に相対回転不能に接触する。
【０１６７】
また、現像電極６５の接点９１Ａは、現像電極６５が外方位置に位置すると、本体ケーシング２の本体電極１１７に接触する。
【０１６８】
現像電極６５は、上記した画像形成動作時など、本体電極１１７を介して電力を受け、現像カップリング４４は、本体カップリング１１６を介して駆動力を受ける。
【０１６９】
現像電極６５が受けた電力は、支持部材６７を介して現像ローラ軸１１１と供給ローラ軸１２１とに伝達される。
【０１７０】
また、現像カップリング４４は、駆動力を受けると、図１５Ｂに示すように、左側面視時計回りに回転する。すると、現像ギア４５は、左側面視反時計回りに回転する。これにより、現像ローラ１１は、左側面視反時計回りに回転する。
【０１７１】
さらに、第１アイドルギア７０は、図１６Ｂに示すように、右側面視時計回りに回転する。すると、第２アイドルギア７１は、右側面視反時計回りに回転し、供給ギア７２は、右側面視時計回りに回転する。これにより、供給ローラ１２は、右側面視時計回り、言い換えると、左側面視反時計回りに回転する。すなわち、供給ローラ１２は、現像カップリング４４と逆方向に回転する。
５．特許請求の範囲との対応
この実施形態において、左右方向は、第１方向の一例であり、前後方向は、第２方向の一例であり、上下方向は、第３方向の一例である。また、左方は、第１方向の一方側の一例であり、右方は、第１方向の他方側の一例である。また、前方は、第２方向の一方側の一例であり、後方は、第２方向の他方側の一例である。また、上方は、第３方向の一方側の一例であり、下方は、第３方向の他方側の一例である。
【０１７２】
フレーム２１は、筺体の一例である。下壁２９の第２部分２９Ｂは、連結壁の一例である。
【０１７３】
フレーム２１の前壁２８は、壁の一例である。フレーム２１の右壁２７Ｒは、第１壁の一例である。フレーム２１の左壁２７Ｌは、第２壁の一例である。
【０１７４】
現像ローラ１１の中心軸線Ａ１は、第１軸線の一例である。供給ローラ１２の中心軸線Ａ２は、第２軸線の一例である。供給ローラ軸１２１は、シャフトの一例である。左カラー４９は、カラーの一例である。
【０１７５】
現像カップリング４４は、カップリングの一例である。現像カップリング４４の内側位置は、第１位置の一例である。現像カップリング４４の外側位置は、第２位置の一例である。ギア部４６のはすばは、第１はすばの一例である。
【０１７６】
現像ギア４５のはすばは、第２はすばの一例である。
【０１７７】
供給ギア７２は、第１伝達部の一例である。現像ギア４５、現像ローラ軸１１１、第１アイドルギア７０および第２アイドルギア７１は、第２伝達部を構成する。また、供給ギア７２、現像ギア４５、現像ローラ軸１１１、第１アイドルギア７０および第２アイドルギア７１は、伝達機構を構成する。
【０１７８】
左直動カム３８は、移動部材の一例である。圧縮ばね３９は、付勢部材の一例である。左直動カム３８および圧縮ばね３９は、移動機構を構成する。
【０１７９】
ハンドル部材１０１は、力受け部の一例である。規制部材１０４は、第１規制部材および第２規制部材の一例である。
６．作用効果
（１）この現像カートリッジ７Ａは、図１４および図１７に示すように、内方位置と、内方位置から左右方向外方の外方位置との間を移動可能な現像カップリング４４を備えている。
【０１８０】
そのため、現像カートリッジ７Ａは、現像カップリング４４が外方位置に位置している状態で本体ケーシング２から駆動力を受けることができる。
【０１８１】
つまり、現像カートリッジ７Ａは、本体ケーシング２の本体カップリング１１６が現像カートリッジ７Ａに向かって移動しない場合でも、本体ケーシング２から駆動力を受けることができる。
【０１８２】
その結果、この現像カートリッジ７Ａは、プリンタ１の構成の簡略化に寄与することができ、プリンタ１の小型化を図ることができる。
（２）この現像カートリッジ７Ａでは、現像カップリング４４は、図１４および図１９に示すように、左右方向に沿って内方位置と外方位置との間を移動する。
【０１８３】
そのため、この現像カートリッジ７Ａは、現像カップリング４４が配置されている側、すなわち、左方において、プリンタ１の小型化を図ることができる。
（３）この現像カートリッジ７Ａは、図６および図１７に示すように、左直動カム３８によって押圧することにより、現像カップリング４４を内方位置から外方位置へ移動させ、圧縮ばね３９の付勢力により、現像カップリング４４を外方位置から内方位置へ移動させている。
【０１８４】
このように、現像カートリッジ７Ａは、簡易な構成で、現像カップリング４４を移動させることができる。
（４）この現像カートリッジ７Ａでは、圧縮ばね３９は、現像カップリング４４を付勢している。
【０１８５】
そのため、現像カートリッジ７Ａは、圧縮ばね３９により、現像カップリング４４を移動させることができる。
（５）この現像カートリッジ７Ａでは、現像カップリング４４は、図１５に示すように、操作者がハンドル部材１０１を操作することにより移動される。
【０１８６】
そのため、現像カートリッジ７Ａは、操作者がハンドル部材１０１を操作する力を利用して、現像カップリング４４を移動させることができる。
（６）この現像カートリッジ７Ａでは、ハンドル部材１０１は、図１５に示すように、操作者の操作によって移動することにより、左直動カム３８を移動させる。
【０１８７】
そのため、簡易な構成により、操作者からの力を左直動カム３８に伝達することができる
（７）この現像カートリッジ７Ａは、図１０に示すように、ハンドル部材１０１の移動を規制する規制部材１０４を備えている。
【０１８８】
そのため、規制部材１０４により、操作者の意図しないハンドル部材１０１の移動を規制することができる。
【０１８９】
その結果、現像電極６５および現像カップリング４４の不用な移動を規制することができる。
（８）この現像カートリッジ７Ａでは、ハンドル部材１０１は、図１０に示すように、フレーム２１の前壁２８に支持されている。
【０１９０】
そのため、ハンドル部材１０１は、前方から確実に力を受けることができる。
（９）この現像カートリッジ７Ａでは、ハンドル部材１０１は、図１０に示すように、把持部１０２を備えている。
【０１９１】
そのため、ハンドル部材１０１は、操作者が把持部１０２を把持して操作することで、確実に力を受けることができる。
（１０）この現像カートリッジ７Ａでは、把持部１０２は、図１０に示すように、ハンドル部材１０１の左右方向中央に配置されている。
【０１９２】
そのため、操作者は、容易に把持部１０２を把持することができる。
（１１）この現像カートリッジ７Ａでは、現像カップリング４４は、図１５Ｂおよび図１６Ｂに示すように、供給ローラ１２とは逆方向に回転する。
【０１９３】
そのため、現像カップリング４４の回転に起因して現像カートリッジ７Ａに加わるモーメントの方向は、供給ローラ１２の回転に起因して現像カートリッジ７Ａに加わるモーメントの方向に対して、逆方向となる。
【０１９４】
これにより、現像カップリング４４の回転に起因して現像カートリッジ７Ａに加わるモーメントは、供給ローラ１２の回転に起因して現像カートリッジ７Ａに加わるモーメントで打ち消される。
【０１９５】
その結果、現像カートリッジ７Ａは、本体ケーシング２内における現像カートリッジ７Ａの姿勢を安定させることができる。
（１２）この現像カートリッジ７Ａでは、図１５Ｂおよび図１６Ｂに示すように、現像カップリング４４が受けた駆動力は、現像ギア４５、現像ローラ軸１１１、第１アイドルギア７０、第２アイドルギア７１および供給ギア７２を順次介して、供給ローラ１２に伝達される。
【０１９６】
そのため、現像カップリング４４が受けた駆動力を、簡易な構成で確実に、供給ローラ１２に伝達することができる。
（１３）この現像カートリッジ７Ａでは、図６および図１７に示すように、現像カップリング４４のギア部４６は、現像カップリング４４が内方位置に配置されるとき、および、現像カップリング４４が外方位置に配置されるときの両方において、現像ギア４５と噛み合っている。
【０１９７】
そのため、現像カップリング４４が外方位置に位置したときに、現像カップリング４４が受けた駆動力を、現像ギア４５に確実に伝達することができる。
（１４）この現像カートリッジ７Ａでは、図６および図１７に示すように、現像カップリング４４の移動距離は、現像ギア４５の左右方向長さよりも短い。
【０１９８】
そのため、現像カップリング４４が外方位置に位置したときに、確実に、現像カップリング４４と現像ギア４５とを接触させることができる。
（１５）この現像カートリッジ７Ａでは、図３に示すように、現像カップリング４４を内方位置に位置させたときに、現像カップリング４４を左カラー４９よりも内方に位置させることができる。
【０１９９】
その結果、現像カップリング４４が外部の構成に干渉することを抑制できる。
（１６）この現像カートリッジ７Ａでは、図１９に示すように、現像カップリング４４の移動距離Ｄ１は、例えば、５ｍｍ〜３０ｍｍである。
【０２００】
そのため、現像カップリング４４の移動距離を比較的短く設定しながら、本体ケーシング２の本体カップリング１１６に対して確実にアクセスすることができる。
【０２０１】
その結果、現像カートリッジ７Ａの小型化と、本体ケーシング２の本体カップリング１１６に対する確実なアクセスとを図ることができる。
（１７）この現像カートリッジ７Ａでは、図１９に示すように、現像カップリング４４の移動距離Ｄ１は、現像カップリング４４のギア部４６の直径の１．５〜２倍の長さである。
【０２０２】
そのため、現像カートリッジ７Ａの小型化と、本体ケーシング２の本体カップリング１１６に対する確実なアクセスとをより図ることができる。
（１８）この現像カートリッジ７Ａでは、図１４に示すように、現像カップリング４４は、供給ローラ軸１２１に相対回転可能に支持されている。
【０２０３】
そのため、供給ローラ軸１２１を利用して現像カップリング４４を支持することができる。
【０２０４】
その結果、現像カップリング４４が受けた駆動力を確実に供給ローラ１２に伝達することができる。
（１９）この現像カートリッジ７Ａでは、図１および図６に示すように、現像カップリング４４は、フレーム２１の後下側端部に支持されている。
【０２０５】
フレーム２１の後下側端部は、下壁２９の第２部分２９Ｂが配置されることによって剛性が高くなっている。
【０２０６】
そのため、現像カップリング４４を安定にフレーム２１に支持することができ、現像カップリング４４の安定した回転や、円滑な移動を実現することができる。
（２０）この現像カートリッジ７Ａでは、図９に示すように、現像ギア４５のギア歯は、右ねじれのはす歯であり、現像カップリング４４のギア部４６のギア歯は、左ねじれのはす歯である。
【０２０７】
この場合には、現像カップリング４４が左側面視時計回りに回転すると、ギア部４６から現像ギア４５に対して右方へ向かうスラスト力が作用するとともに、そのスラスト力の反力が、現像ギア４５からギア部４６に対して左方へ向かって作用する。
【０２０８】
これにより、現像カップリング４４は、駆動力が入力されているときには、外方位置に向かって押圧される。
【０２０９】
その結果、現像カップリング４４は、確実に外方位置に位置される。
（２１）第１実施形態の変形例
上記した第１実施形態では、付勢部材の一例としての圧縮ばね３９としていたが、本発明はこれ限定されるものではない。たとえば、板ばね、引きばね、ゴムなどの弾性を有するものであってもよい。
【０２１０】
上記した第１実施形態では、付勢部材の一例としての圧縮ばね３９は、現像カップリング４４を内方位置に向けて常に付勢していたが、本発明はこれに限定されるものではない。たとえば、圧縮ばね６４のように、常に現像カップリング４４を外方位置に向けて付勢する構成であってもよい。
【０２１１】
上記した第１実施形態では、規制部材１０４は、右リンク部１０３Ｂにのみ配置されていたが、左リンク部１０３Ａにも配置してもよい。
【０２１２】
上記した第１実施形態では、力受け部の一例としてハンドル部材１０１としていたが、本発明はこれに限定されるものではない。たとえば、操作者がボタンスイッチのようなスイッチを押すことで、現像カップリング４４が内方位置から外方位置または外方位置から内方位置に移動するような構成であってもよい。
【０２１３】
上記した第１実施形態では、ギア部４６のギア歯は、左ねじれのはす歯であり、現像ギア４５のギア歯は、右ねじれのはす歯であったが、本発明はこれに限定されない。たとえば、ギア部４６のギア歯および現像ギア４５のギア歯は、現像ローラ１１の中心軸線Ａ１に沿う平歯であってもよい。
【０２１４】
上記した第１実施形態では、カップリング部４７の凹部４８は、カップリング部４７の左面から右方へ凹んでいたが、本発明はこれに限定されるものではない。たとえば、現像カップリング４４は、いわゆるオルダムカップリングとして構成することもできる。
【０２１５】
詳しくは、現像カップリング４４は、中継駆動部材を備える。中継駆動部材は、左右方向に厚みを有する略円板形状を有している。中継駆動部材は、カップリング部４７の径方向にスライドするように、カップリング部４７の左端部に支持されている。中継駆動部材は、左方に延びる突起を有している。
【０２１６】
この場合、本体カップリング１１６は、中継駆動部材の突起がはまるように構成される凹部を有している。
【０２１７】
そして、中継駆動部材の突起は、現像カップリング４４が外方位置に配置されたときに、本体カップリング１１６の凹部に係合する。
【０２１８】
このとき、現像カップリング４４は、本体カップリング１１６に対してずれた位置に位置していたとしても、中継駆動部材がカップリング部４７に対してスライドすることにより、円滑に本体カップリング１１６に連結する。
７．第２実施形態
図２２〜図２４を参照して、本発明の現像カートリッジの第２実施形態を説明する。なお、第２実施形態において、上記した第１実施形態と同様の部材には、同じ符号を付し、その説明を省略する。
（１）第２実施形態の概要
上記した第１実施形態では、ハンドル部材１０１が移動することにより、現像カップリング４４が左直動カム３８により移動するとともに、現像電極６５が右直動カム６８により移動する。
【０２１９】
対して、第２実施形態では、図２２Ａおよび図２２Ｂに示すように、現像電極６５は、スライド部材１３３が移動することにより、右リンク機構１３１によって移動される。また、現像カップリング４４は、図２３Ａおよび図２３Ｂに示すように、別途、スライド部材１３５が移動することにより、左リンク機構１３２によって移動する。
【０２２０】
また、第２実施形態では、現像カップリング４４は、現像電極６５が右リンク機構１３１により移動した後に、左リンク機構１３２により移動される。
（２）第２実施形態の構成
現像カートリッジ７Ｂは、右リンク機構１３１と、左リンク機構１３２とを備えている。
（２−１）右リンク機構
右リンク機構１３１は、現像電極６５を内方位置に位置させる第１位置（図２２Ａ参照）と、現像電極６５を外方位置に位置させる第２位置（図２２Ｂ参照）との間を移動するように構成されている。右リンク機構１３１は、図２２Ａに示すように、スライド部材１３３と、リンク部材１３４とを備えている。
【０２２１】
スライド部材１３３は、突起７４の左端部の前方に配置されている。スライド部材１３３は、前後方向に長手の略平板形状を有している。スライド部材１３３は、フレーム２１の右壁２７Ｒに、前後方向にスライド可能に支持されている。スライド部材１３３は、操作部１３３Ａを備えている。
【０２２２】
操作部１３３Ａは、スライド部材１３３の前端部から右方へ延びている。操作部１３３Ａは、略平板形状を有している。
【０２２３】
リンク部材１３４は、上リンク部材１３４Ａと、下リンク部材１３４Ｂとを備えている。
【０２２４】
上リンク部材１３４Ａは、前後方向に長い略平板形状を有している。上リンク部材１３４Ａの前端部は、スライド部材１３３の後端部の上端部に回動可能に連結している。上リンク部材１３４Ａの後端部は、現像電極６５の上方の接触部９３に回動可能に連結している。
【０２２５】
下リンク部材１３４Ｂは、前後方向に長い略平板形状を有している。下リンク部材１３４Ｂの前端部は、スライド部材１３３の後端部の下端部に回動可能に連結している。下リンク部材１３４Ｂの後端部は、現像電極６５の下方の接触部９３に回動可能に連結している。なお、第２実施形態では、現像電極６５の接触部９３は、略円筒形状を有している。
（２−２）左リンク機構
左リンク機構１３２は、現像カップリング４４を内方位置に位置させる第３位置（図２３Ａ参照）と、現像カップリング４４を外方位置に位置させる第４位置（図２３Ｂ参照）との間を移動可能である。左リンク機構１３２は、図２３Ａおよび図２４に示すように、軸受部材３６と、支持部材１３７と、スライド部材と１３５と、リンク部材１３６と、連結部材１３８とを備えている。
【０２２６】
軸受部材３６は、１対のガイド部１４０を備えている。
【０２２７】
１対のガイド部１４０のそれぞれは、軸受部材３６の下端部に配置されている。１対のガイド部１４０のそれぞれは、前後方向に互いに間隔を隔てて配置されている。その間隔は、後述する連結部材１３８の前後方向長さよりもわずかに長い。ガイド部１４０は、軸受部材３６の左面から左方へ向かって延びている。１対のガイド部１４０のそれぞれは、略角柱形状を有している。
【０２２８】
支持部材１３７は、現像カップリング４４の右方に配置されている。支持部材１３７は、左右方向に延びる略円筒形状を有している。支持部材１３７の内径は、供給ローラ軸１２１の外径よりもわずかに大きい。支持部材１３７は、供給ローラ軸１２１の左端部に支持されている。支持部材１３７は、供給ローラ軸１２１に対して相対回転可能である。また、支持部材１３７は、突起１３９を備えている。
【０２２９】
突起１３９は、上方の突起１３９Ａと、下方の突起１３９Ｂとを備えている。
【０２３０】
上方の突起１３９Ａは、支持部材１３７の上端部から上方へ向かって延びている。上方の突起１３９Ａは、略円筒形状を有している。
【０２３１】
下方の突起１３９Ｂは、支持部材１３７の下端部から下方へ向かって延びている。下方の突起１３９Ｂは、上方の突起１３９Ａよりも長い上下方向長さを有する略円筒形状を有している。
【０２３２】
スライド部材１３５は、供給ローラ軸１２１の前方に配置されている。スライド部材１３５は、前後方向に長手の略平板形状を有している。スライド部材１３５は、フレーム２１の左壁２７Ｌに、前後方向にスライド可能に支持されている。スライド部材１３５は、操作部１３５Ａを備えている。
【０２３３】
操作部１３５Ａは、スライド部材１３５の前端部から左方へ延びている。操作部１３５Ａは、略平板形状を有している。
【０２３４】
リンク部材１３６は、上方リンク部材１３６Ａと、下方リンク部材１３６Ｂとを備えている。
【０２３５】
上方リンク部材１３６Ａは、前後方向に長手の略平板形状である。上方リンク部材１３６Ａの前端部は、スライド部材１３５の後端部の上端部に回動可能に連結している。上方リンク部材１３６Ａの後端部は、支持部材１３７の上方の突起１３９Ａに回動可能に連結している。
【０２３６】
下方リンク部材１３６Ｂは、前後方向に長手の略平板形状である。下方リンク部材１３６Ｂの前端部は、スライド部材１３５の後端部の下端部に回動可能に連結している。下方リンク部材１３６Ｂの後端部は、支持部材１３７の下方の突起１３９Ｂに回動可能に連結している。
【０２３７】
連結部材１３８は、現像カップリング４４および支持部材１３７の下方に配置されている。連結部材１３８は、本体部１３８Ａと、係合部１３８Ｂとを備えている。
【０２３８】
本体部１３８Ａは、左右方向に延びる略平板形状を有している。本体部１３８Ａの右端部は、下方リンク部材１３６Ｂの下方において、支持部材１３７の下方の突起１３９Ｂに回動可能に連結している。また、本体部１３８Ａは、１対のガイド部１４０の間に、上下方向にスライド可能に配置されている。
【０２３９】
係合部１３８Ｂは、本体部１３８Ａの左端部から上方へ突出している。係合部１３８Ｂは、前後方向に延びている。係合部１３８Ｂは、現像カップリング４４のギア部４６の左方に配置されている。
（３）現像カップリングおよび現像電極の進出または退避
次に、現像カップリング４４および現像電極６５の内方位置から外方位置への移動について説明する。
【０２４０】
まず、スライド部材１３３の操作部１３３Ａは、現像カートリッジ７Ｂの外部から力を受ける。
【０２４１】
すると、図２２Ａおよび図２２Ｂに示すように、スライド部材１３３は、突起７４に向かって後方へ移動する。
【０２４２】
すると、リンク部材１３４は、図２２Ｂに示すように、その前端部を支点として、その後端部が右方へ移動するように回動する。その後、リンク部材１３４は、後方へ向かうにつれて右方へ傾斜するように位置する。
【０２４３】
現像電極６５は、１対の溝７６のそれぞれにガイドされながら右方へ移動し、外方位置に位置する。これにより、現像電極の内方位置から外方位置への移動が完了する。
【０２４４】
その後、スライド部材１３５の操作部１３５Ａは、現像カートリッジ７Ｂの外部から力を受ける。
【０２４５】
すると、図２３Ａおよび図２３Ｂに示すように、スライド部材１３５は、供給ローラ軸１２１に向かって後方へ移動する。
【０２４６】
リンク部材１３６は、図２３Ｂに示すように、その前端部を支点として、その後端部が左方へ移動するように回動する。その後、リンク部材１３６は、後方へ向かうにつれて左方へ傾斜するように位置する。
【０２４７】
これにより、支持部材１３７および現像カップリング４４は、供給ローラ軸１２１にガイドされながら一体的に左方へ移動する。すると、現像カップリング４４は、外方位置に位置する。これにより、現像カップリング４４の内方位置から外方位置への移動が完了する。
【０２４８】
次に、現像カップリング４４および現像電極６５の外方位置から内方位置への移動について説明をする。
【０２４９】
まず、スライド部材１３３の操作部１３３Ａは、現像カートリッジ７Ｂの外部から力を受ける。
【０２５０】
すると、スライド部材１３３は、図２２Ａおよび図２２Ｂに示すように、突起７４から離れるように前方へ移動する。
【０２５１】
リンク部材１３４は、図２２Ａに示すように、その前端部を支点として、その後端部が左方へ移動するように回動する。その後、リンク部材１３４は、前後方向に沿うように傾倒する。
【０２５２】
これにより、現像電極６５は、１対の溝７６のそれぞれにガイドされながら左方へ移動し、内方位置に位置する。これにより、現像電極６５の外方位置から内方位置への移動が完了する。
【０２５３】
スライド部材１３５の操作部１３５Ａは、現像カートリッジ７Ｂの外部から力を受ける。
【０２５４】
すると、スライド部材１３５は、図２３Ａおよび図２３Ｂに示すように、供給ローラ軸１２１から離れるように前方へ移動する。
【０２５５】
すると、リンク部材１３６は、図２３Ａに示すように、その前端部を支点として、その後端部が右方へ移動するように回動する。リンク部材１３６は、前後方向に沿うように傾倒する。
【０２５６】
支持部材１３７および現像カップリング４４は、供給ローラ軸１２１にガイドされながら一体的に右方へ移動する。すると、現像カップリング４４は、内方位置に位置する。これにより、現像カップリング４４の外方位置から内方位置への移動が完了する。
【０２５７】
なお、上記の第２実施形態の説明では、現像カップリング４４は、現像電極６５が内方位置から外方位置または外方位置から内方位置に移動した後に、内方位置から外方位置または外方位置から内方位置に移動していたが、本発明はこれに限定されるものではない。たとえば、現像カップリング４４は、現像電極６５が移動する前に移動してもよい。
（４）特許請求の範囲との対応
第２実施形態において、左リンク機構１３２は、移動機構の一例である。リンク部材１３６は、移動部材の一例である。
（５）第２実施形態の作用効果
（５−１）第２実施形態によれば、図２３Ａおよび図２３Ｂに示すように、簡易な左リンク機構１３２で、現像カップリング４４を内方位置または外方位置に移動させることができる。
（５−２）第２実施形態においても、上記した第１実施形態と同様の作用効果を得ることができる。
８．第３実施形態
図２５〜図３０を参照して、本発明の現像カートリッジの第３実施形態を説明する。なお、第３実施形態において、上記した第１実施形態と同様の部材には、同じ符号を付し、その説明を省略する。
（１）第３実施形態の概要
上記した第１実施形態では、供給ギア７２は、フレーム２１の右壁２７Ｒの右方に配置されている。そして、現像カップリング４４が受けた駆動力は、現像ギア４５、現像ローラ軸１１１、第１アイドルギア７０および第２アイドルギア７１を順次介して、供給ギア７２に伝達されている。
【０２５８】
対して、第３実施形態では、図２５および図２６に示すように、供給ギア１５９は、フレーム２１の左壁２７Ｌの左方に配置される。そして、現像カップリング１５６が受けた駆動力は、現像ギア１５７およびアイドルギア１５８を順次介して、供給ギア１５９に伝達される。
（２）第３実施形態の構成
現像カートリッジ７Ｃは、駆動部１５１を備えている。
（２−１）駆動部
駆動部１５１は、図２５および図２６に示すように、軸受部材１５２と、ギア列１５３と、左連動機構１５４とを備えている。
（２−２）軸受部材
軸受部材１５２は、第１実施形態の軸受部材３６と異なり、ガイドリブ４３を有さず、突起１５５を備えている。
【０２５９】
突起１５５は、軸受部材１５２の前後方向略中央かつ上下方向略中央に配置されている。突起１５５は、軸受部材１５２の左面から左方へ向かって延びている。突起１５５は、後述するアイドルギア１５８を支持するように構成される。突起１５５は、略円柱形状を有している。
（２−３）ギア列
ギア列１５３は、現像ギア１５７と、アイドルギア１５８と、供給ギア１５９と、支持部材１６９と、現像カップリング１５６とを備えている。
（２−３−１）現像ギア
現像ギア１５７は、第１実施形態の現像ギア４５よりも左右方向に長手の略円柱形状を有している。
（２−３−２）アイドルギア
アイドルギア１５８は、左右方向に厚みを有する略円板形状を有し、その周面すべてにわたってギア歯を備えている。アイドルギア１５８は、その径方向中央において、側面視略円形状の貫通穴１５８Ａを有している。
【０２６０】
アイドルギア１５８は、軸受部材１５２の突起１５５が貫通穴１５８Ａにはまることで突起１５５に支持されている。アイドルギア１５８は、突起１５５に対して相対回転可能である。アイドルギア１５８は、現像ギア１５７の右端部と噛合している。
（２−３−３）供給ギア
供給ギア１５９は、左右方向に厚みを有する略円板形状を有し、その周面すべてにわたってギア歯を備えている。供給ギア１５９は、その径方向中央において、側面視略Ｄ字形状の貫通穴１５９Ａを有している。
【０２６１】
供給ギア１５９は、供給ローラ軸１２１の左方の支持部１２１Ａが供給ギア１５９の貫通穴１５９Ａにはまることで、支持部１２１Ａに支持されている。供給ギア１５９は、供給ローラ軸１２１に対して相対回転不能であり、供給ローラ軸１２１とともに回転可能である。供給ギア１５９は、アイドルギア１５８と噛合している。
（２−３−４）支持部材
支持部材１６９は、図２６および図２９に示すように、供給ギア１５９の左方に配置されている。支持部材１６９は、側面視略矩形の平板形状を有している。支持部材１６９は、ねじ１８７によりフレーム２１の左壁２７Ｌに固定されている。支持部材１６９は、供給ギア１５９の右方に配置されている。支持部材１６９は、突起１７１と、穴１７０とを有している。
【０２６２】
突起１７１は、支持部材１６９の後下方に配置されている。突起１７１は、支持部材１６９の左面から左方へ突出している。突起１７１は、略円柱形状を有している。突起１７１は、突起１７１に対して現像カップリング１５６が相対回転するように、構成されている。
【０２６３】
穴１７０は、支持部材１６９の右面から左方へ凹む凹部である。穴１７０の形状は、側面視略円形状である。穴１７０の中心は、突起１７１の中心軸線と一致している。言い換えると、穴１７０の中心は、供給ローラ軸１２１の中心軸線Ａ２と一致している。
（２−３−５）現像カップリング
現像カップリング１５６の回転中心Ｃは、供給ローラ軸１２１の中心軸線Ａ２と一致している。現像カップリング１５６は、ギア部材１６０と、カップリング部材１６１と、圧縮ばね１６２とを備えている。
【０２６４】
ギア部材１６０は、図２９に示すように、左右方向に移動しないように突起１７１に支持されている。
【０２６５】
ギア部材１６０は、現像カップリング１５６の右端部に配置されている。ギア部材１６０は、現像ギア１５７の左端部と噛合している。ギア部材１６０は、ギア部１６３と、係合部１６４とを備えている。
（２−３−５−１）ギア部
ギア部１６３は、右端部が閉鎖された略円筒形状を有し、その周面すべてにわたってギア歯を備えている。ギア部１６３は、穴１６５を有している。
【０２６６】
穴１６５は、ギア部１６３の右壁の径方向中央に配置されている。穴１６５は、ギア部１６３の右壁を左右方向に貫通している。穴１６５は、側面視略円形状を有している。穴１６５の直径は、突起１７１の外径よりもわずかに大きい。
（２−３−５−２）係合部
係合部１６４は、穴１６５の周縁部から左方へ延びている。係合部１６４は、左端部が閉鎖された略円筒形状を有している。係合部１６４の内径は、穴１６５と同じである。係合部１６４の外径は、ギア部１６３の内径よりも小さい。係合部１６４の周壁は、ギア部１６３の径方向において、ギア部１６３の周壁と間隔を隔てて配置されている。係合部１６４は、１対の突起１６６を備えている。
【０２６７】
１対の突起１６６は、係合部１６４の左端部に配置されている。１対の突起１６６のそれぞれは、係合部１６４の周方向において、互いに１８０°の間隔を隔てて配置されている。１対の突起１６６のそれぞれは、係合部１６４の周面から径方向外方へ向かって延びている。１対の突起１６６のそれぞれは、略円柱形状を有している。
（２−３−６）カップリング部材
カップリング部材１６１は、内方位置（図２５参照）と、外方位置（図２８参照）との間を、左右方向に沿って移動するように構成されている。より具体的には、カップリング部材１６１は、図２６および図２９に示すように、ギア部材１６０に対して、相対回転不能、かつ、左右方向にスライド可能に支持されている。
【０２６８】
カップリング部材１６１は、現像カップリング１５６の左端部に配置されている。カップリング部材１６１は、左右方向に延び、左端部が閉鎖された略円筒形状を有している。カップリング部材１６１は、１対の係合部１６７と、鍔部１６８とを備えている。
【０２６９】
１対の係合部１６７のそれぞれは、カップリング部材１６１の右端部から右方へ向かって延びている。１対の係合部１６７のそれぞれは、カップリング部材１６１の周方向において、互いに１８０°の間隔を隔てて配置されている。１対の係合部１６７のそれぞれは、略角柱形状を有している。１対の係合部１６７のそれぞれは、係合部１６７の右端縁１６７Ａから左方へ凹むように、図示しない凹溝を有している。１対の係合部１６７のそれぞれは、突起１６６を受け入れるように構成されている。
【０２７０】
鍔部１６８は、カップリング部材１６１の右端部の外周面に配置されている。鍔部１６８は、カップリング部材１６１の径方向に突出し、カップリング部材１６１の周方向に延びている。
（２−３−７）圧縮ばね
圧縮ばね１６２は、左右方向に延びるコイルばねである。圧縮ばね１６２の左端部は、鍔部１６８の右面に当接している。圧縮ばね１６２の右端部は、ギア部材１６０の右壁の左面に当接している。これにより、圧縮ばね１６２は、カップリング部材１６１を常に左方へ向かって付勢している。
（２−４）左連動機構
左連動機構１５４は、図２６および図２８に示すように、スライド部材１７２と、カム部材１７３とを備えている。
（２−４−１）スライド部材
スライド部材１７２は、フレーム２１の前端部の左方に配置されている。スライド部材１７２は、図２６および図２７に示すように、側面視略矩形の平板形状を有している。スライド部材１７２は、接触部１７５と、連結部１７４とを備えている。
【０２７１】
接触部１７５は、スライド部材１７２の前端部に配置されている。接触部１７５は、側面視略矩形状を有している。接触部１７５は、穴１７６と、突起１７７とを有している。
【０２７２】
穴１７６は、接触部１７５の前後方向略中央に配置されている。穴１７６は、上下方向に延びる側面視略矩形状を有している。穴１７６は、ハンドル部材１０１の突起１０５を貫通させるように構成されている。これにより、スライド部材１７２は、ハンドル部材１０１と連動可能である。
【０２７３】
突起１７７は、穴１７６の後方内周面の上端部に配置されている。突起１７７は、穴１７６の後方内周面から前方へ突出している。突起１７７は、側面視略半円形状を有している。
【０２７４】
連結部１７４は、接触部１７５の後端部の上端部から連続して後方へ延びている。連結部１７４は、前後方向に長い側面視略矩形状を有している。連結部１７４は、傾斜穴１７８を有している。
【０２７５】
傾斜穴１７８は、連結部１７４の後端部に配置されている。傾斜穴１７８は、連結部１７４を左右方向に貫通している。傾斜穴１７８は、後下方と前上方とを結ぶ方向に延びる長穴である。
（２−４−２）カム部材
カム部材１７３は、スライド部材１７２の後方に配置されている。カム部材１７３は、スライド部材１７２と連動するように構成されている。カム部材１７３は、フレーム２１に対して揺動可能となるように、フレーム２１の突起１８６に支持されている。カム部材１７３は、カップリング部材１６１を右方へ押圧する押圧位置（図２５参照）と、カップリング部材１６１に対する右方への押圧を解除する押圧解除位置（図２８参照）との間を移動するように構成されている。カム部材１７３は、上下方向に延び、左右方向に厚手の側面視略扇形の平板形状を有している。カム部材１７３は、穴１８１と、接触部１７９と、連結部１８０とを備えている。
【０２７６】
穴１８１は、カム部材１７３の上端部に配置されている。穴１８１は、カム部材１７３を左右方向に貫通している。穴１８１は、側面視略円形状を有している。穴１８１は、フレーム２１の突起１８６が相対回転可能にはまるように構成されている。
【０２７７】
接触部１７９は、カム部材１７３の下端部に配置されている。接触部１７９は、溝１８２と、変位部１８３と、保持部１８４とを備えている。
【０２７８】
溝１８２は、カム部材１７３の後端部から前下方へ向かって切り欠かれている。溝１８２は、穴１８１の中心を中心とする略円弧形状を有している。溝１８２の溝幅は、カップリング部材１６１の外径よりもわずかに広く、かつ、鍔部１６８の外径よりもわずかに狭い。
【０２７９】
変位部１８３は、溝１８２の前後方向途中の周縁部から右方へ延びている。変位部１８３の右面は、後方から前方へ向かうにつれて右方へ傾斜している。言い換えると、変位部１８３の突出長さは、後方から前方へ向かうにつれて次第に長くなっている。
【０２８０】
保持部１８４は、変位部１８３の前方に連続している。保持部１８４の右面は、変位部１８３の右面の前端部に連続して、前方に延びている。
【０２８１】
連結部１８０は、カム部材１７３の上端部から前方へ向かって延びている。連結部１８０は、略角柱形状を有している。連結部１８０は、突起１８５を備えている。
【０２８２】
突起１８５は、連結部１８０の前方に配置されている。突起１８５は、連結部１８０の左面から左方へ延びている。突起１８５は、略円柱形状を有している。突起１８５は、スライド部材１７２の傾斜穴１７８内に摺動可能に係合している。
（３）カップリング部材の進出または退避
次に、図２７および図２８を用いて、カップリング部材１６１の内方位置から外方位置への移動について説明する。
【０２８３】
カップリング部材１６１が内方位置から外方位置に移動されるときには、上記した第１実施形態と同様に、図２７に示すように、ハンドル部材１０１が延出位置（図２７Ａ参照）から傾倒位置（図２７Ｂ参照）へ移動する。
【０２８４】
すると、ハンドル部材１０１の突起１０５Ａは、ハンドル部材１０１の後端部を支点として左側面視時計回り方向に移動しながら、穴１７６の後方内周面を後方へ押圧する。
【０２８５】
これにより、スライド部材１７２は、後方へ移動する。すると、カム部材１７３の突起１８５は、傾斜穴１７８の傾斜に沿って、上方へ移動する。その後、カム部材１７３の突起１８５は、スライド部材１７２の傾斜穴１７８の前端に位置する。
【０２８６】
これにより、カム部材１７３は、その上端部を支点として、左側面視反時計回りに揺動する。すると、カップリング部材１６１は、カム部材１７３の変位部１８３の傾斜に沿って、圧縮ばね１６２の付勢力により、左方へ移動する。その後、カム部材１７３の変位部１８３は、カップリング部材１６１の鍔部１６８との当接が解除される。
【０２８７】
そして、ハンドル部材１０１は、図２７Ｂに示すように、突起１０５Ａが突起１７７を乗り越えて突起１７７よりも上方に配置されると、傾倒位置に位置する。
【０２８８】
すると、カム部材１７３は、押圧解除位置に位置し、カップリング部材１６１は、圧縮ばね１６２の付勢力により外方位置に位置する。これにより、カップリング部材１６１の内方位置から外方位置への移動が完了する。
【０２８９】
次に、カップリング部材１６１の外方位置から内方位置への移動について説明する。
【０２９０】
まず、上記した第１実施形態と同様に、図２７に示すように、ハンドル部材１０１は、傾倒位置（図２７Ｂ参照）から延出位置（図２７Ａ参照）へ移動する。
【０２９１】
すると、ハンドル部材１０１の突起１０５Ａは、ハンドル部材１０１の後端部を支点として左側面視反時計回り方向に移動しながら、穴１７６の前方内周面を前方へ押圧する。
【０２９２】
これにより、スライド部材１７２は、突起１０５Ａに押圧されて、前方へ移動する。すると、カム部材１７３の突起１８５は、傾斜穴１７８の傾斜に沿って、下方へ移動する。
【０２９３】
これにより、カム部材１７３は、その上端部を支点として、左側面視時計回りに揺動する。すると、カップリング部材１６１は、カム部材１７３の変位部１８３と接触し、圧縮ばね１６２の付勢力に抗しながら変位部１８３の傾斜に沿って、右方へ移動する。
【０２９４】
そして、図２７Ａに示すように、ハンドル部材１０１が傾倒位置に位置すると、カム部材１７３は、押圧位置に位置し、カップリング部材１６１は、圧縮ばね１６２の付勢力に抗して内方位置に位置する。
（４）現像カートリッジの駆動
次に、カップリング部材１６１が本体ケーシング２の駆動源から駆動力を受けたときの状態について説明する。
【０２９５】
カップリング部材１６１が駆動力を受けると、図２８および図３０に示すように、ギア部材１６０は、カップリング部材１６１とともに左側面視時計回りに回転する。すると、現像ギア１５７は、左側面視反時計回りに回転する。これにより、現像ローラ１１は、左側面視反時計回りに回転する。
【０２９６】
また、現像ギア１５７が左側面視反時計回りに回転すると、アイドルギア１５８は、左側面視時計回りに回転し、供給ギア１５９は、左側面視反時計回りに回転する。これにより、供給ローラ１２は、左側面視反時計回りに回転する。すなわち、供給ローラ１２は、カップリング部材１６１と逆方向に回転する。
（５）特許請求の範囲との対応
第３実施形態において、カップリング部材１６１は、カップリングの一例である。カップリング部材１６１の内方位置は、第１位置の一例である。カップリング部材１６１の外方位置は、第２位置の一例である。
【０２９７】
カップリング支持部材１６９は、支持部材の一例である。カップリング支持ボス１７１は、支持部の一例である。
【０２９８】
カム部材１７３は、移動部材の一例である。圧縮ばね１６２は、付勢部材の一例である。スライド部材１７２、カム部材１７３および圧縮ばね１６２は、移動機構を構成する。カム部材１７３の押圧位置は、押圧位置の一例である。カム部材１７３の押圧解除位置は、押圧解除位置の一例である。
【０２９９】
供給ギア１５９は、第１伝達部の一例である。現像ギア１５７は、第３伝達部の一例である。アイドルギア１５８は、第４伝達部の一例である。現像ギア１５７およびアイドルギア１５８は、第２伝達部を構成する。また、供給ギア１５９、現像ギア１５７、アイドルギア１５８は、伝達機構を構成する。
（６）第３実施形態の作用効果
（６−１）第３実施形態では、図２５および図２８に示すように、圧縮ばね１６２は、カップリング部材１６１を常に外方位置へ向かって付勢している。そして、カム部材１７３は、押圧位置において、圧縮ばね１６２の付勢力に抗してカップリング部材１６１を内方位置に向かって押圧し、押圧解除位置において、その押圧を解除する。
【０３００】
そのため、圧縮ばね１６２の付勢力により、確実に、カップリング部材１６１を外方位置に位置させることができる。
（６−２）第３実施形態では、図３０に示すように、簡易な構成で、カップリング部材１６１が受けた駆動力を、現像ギア１５７およびアイドルギア１５８を順次介して供給ギア１５９へ伝達することができる。
（６−３）第３実施形態では、図２５および図２６に示すように、現像カップリング４４は、カップリング支持部材１６９のカップリング支持ボス１７１に支持されている。
【０３０１】
そのため、供給ローラ軸１２１を支持するカップリング支持部材１６９を利用して、現像カップリング４４を支持することができる。
【０３０２】
その結果、供給ローラ軸１２１およびカップリング支持部材１６９とは別の部材に現像カップリング４４を支持する場合と比べて、部品点数を低減することができる。
（６−４）第３実施形態では、図３０に示すように、現像ギア１５７は、ギア部材１６０との噛み合い部分において、ギア部材１６０の回転に起因するモーメントＦ１により、下方から上方へ向かって押圧される。
【０３０３】
ここで、現像ギア１５７は、ギア部材１６０との噛み合い部分の上方において、アイドルギア１５８とも噛み合っている。つまり、現像ギア１５７は、アイドルギア１５８との噛み合い部分において、アイドルギア１５８から反力Ｆ２を受ける。
【０３０４】
これにより、ギア部材１６０からのモーメントＦ１を、アイドルギア１５８から反力Ｆ２で打ち消すことができる。
【０３０５】
その結果、ギア部材１６０からのモーメントＦ１による現像ギア１５７のがたつきを抑制することができ、現像ギア１５７を安定に回転させることができる。
（６−５）第３実施形態においても、上記した第１実施形態と同様の作用効果を得ることができる。
（７）第３実施形態の変形例
上記した第３実施形態では、現像カップリング１５６は、供給ギア１５９の左方に配置される支持部材１６９を介して、左壁２７Ｌに支持されている。しかし、現像カップリング１５６を支持する形態は、特に限定されない。例えば、供給ローラ軸１２１の左端部は、図３１に示すように、供給ローラ軸１２１に対して現像カップリング１５６を相対回転可能に支持する構成であってもよい。
【０３０６】
また、上記した第３実施形態では、供給ローラ１２は、現像ギア１５７および１つのアイドルギア１５８によりカップリング部材１５１と逆方向に回転される構成であったが、たとえば、アイドルギアを３つ、５つなど奇数個配置してもよく、また、現像ギア１５７とギア部材１６０との間に、アイドルギアを２つ、４つなど偶数個配置してよい。このような構成においても、第３実施形態と同様の効果を得ることができる。
９．第４実施形態
図３２〜図３４を参照して、本発明の現像カートリッジの第４実施形態を説明する。なお、第４実施形態において、上記した第３実施形態と同様の部材には、同じ符号を付し、その説明を省略する。
（１）第４実施形態の概要
上記した第３実施形態では、現像カップリング１５６に入力された駆動力は、現像ギア１５７およびアイドルギア１５８を介して供給ギア１５９に伝達される。
【０３０７】
対して、第４実施形態では、図３２に示すように、現像カップリング１５６に入力された駆動力は、傘歯２７１Ａを有するアイドルギア２７１を介して供給ギア１５９に伝達される。
（２）第４実施形態の構成
現像カートリッジ７Ｄは、ギア列２７０を備えている。
（２−１）ギア列
ギア列２７０は、図３２、図３３および図３４に示すように、供給ギア２７３と、アイドルギア２７１と、支持部材２７４と、現像カップリング２７５とを備えている。
（２−１−１）供給ギア
供給ギア２７３は、左右方向に厚みを有する略円板形状を有している。供給ギア２７３は、供給ローラ軸１２１に対して相対回転不能となるように、供給ローラ軸１２１の支持部１２１Ａに支持されている。供給ギア２７３は、貫通穴２７３Ａと、傘歯２７３Ｂとを有している。
【０３０８】
貫通穴２７３Ａは、供給ギア２７３の径方向中央に配置されている。貫通穴２７３Ａは、側面視略Ｄ字形状を有し、供給ギア２７３を左右方向に貫通している。貫通穴２７３Ａは、供給ローラ軸１２１の支持部１２１Ａがはまるように構成されている。
【０３０９】
傘歯２７３Ｂは、供給ギア２７３の左端部の周縁部すべてにわたって、左方へ向かうにつれて径方向内方に傾斜している。
（２−１−２）アイドルギア
アイドルギア２７１は、前後方向に厚みを有する略円板形状を有している。アイドルギア２７１は、後端部の周縁部すべてにわたって、後方へ向かうにつれて径方向内方に傾斜する傘歯２７１Ａを備えている。
【０３１０】
アイドルギア２７１は、フレーム２１の左面から左方へ突出する略角柱形状のアイドルギア支持部２７９の後面から後方へ延びる突起（図示せず）に回転可能に支持されている。アイドルギア２７１は、供給ギア２７３の前方と噛合している。
（２−１−３）支持部材
支持部材２７４は、図３３および図３４に示すように、供給ギア２７３の左方に配置されている。支持部材２７４は、左右方向に延びる略円柱形状を有している。支持部材２７４は、穴２７８を有している。
【０３１１】
穴２７８は、支持部材２７４の径方向中央に配置されている。穴２７８は、支持部材２７４の右面から左方へ凹む凹部である。穴２７８は、側面視略Ｄ字形状を有している。穴２７８は、供給ローラ軸１２１の支持部１２１Ａがはまるように構成されている。
（２−１−４）現像カップリング
現像カップリング２７５は、ギア部２７６に傘歯２７６Ａが形成されている以外は、第３実施形態の現像カップリング１５６と同様に構成されている。なお、第４実施形態の現像カップリング２７５においても、上記した第３実施形態と同様の左連動機構１５４により、カップリング部材１６１が内方位置と、図３２に仮想線で示す外方位置とに移動される。
【０３１２】
ギア部２７６は、右端部の周縁部すべてにわたって、右方へ向かうにつれて径方向内方に傾斜する傘歯２７６Ａと、その周面すべてにわたって平歯２７６Ｂとを備えている。ギア部２７６は、その傘歯２７６Ａにおいて、アイドルギア２７１の上端部に前方から噛合するとともに、その平歯２７６Ｂにおいて、現像ギア１５７の前方と噛合している。
（３）現像カートリッジの駆動
次に、カップリング部材１６１が本体ケーシング２の駆動源から駆動力を受けたときの状態について説明する。
【０３１３】
カップリング部材１６１が駆動力を受けると、図３２に示すように、ギア部材１６０は、カップリング部材１６１とともに左側面視時計回りに回転する。すると、現像ギア１５７は、左側面視反時計回りに回転する。これにより、現像ローラ１１は、左側面視反時計回りに回転する。
【０３１４】
また、ギア部材１６０が左側面視時計回りに回転すると、アイドルギア２７１は、後側面視時計回りに回転し、供給ギア１５９は、左側面視反時計回りに回転する。これにより、供給ローラ１２は、左側面視反時計回りに回転する。すなわち、供給ローラ１２は、カップリング部材１６１と逆方向に回転する。
（４）特許請求の範囲との対応
第４実施形態において、供給ギア２７３は、第１伝達部の一例である。アイドルギア２７１は、第３伝達部の一例である。アイドルギア２７１は、第２伝達部を兼ねる。また、供給ギア２７３、アイドルギア２７１は、伝達機構を構成する。
【０３１５】
カップリング支持部材２７４は、支持部材の一例である。また、カップリング支持部材２７４は、支持部を兼ねる。
（５）第４実施形態の作用効果
（５−１）第４実施形態では、図３１に示すように、簡易な構成で、カップリング部材１６１が受けた駆動力を、アイドルギア２７１を順介して供給ギア２７３へ伝達することができる。
（５−２）第４実施形態においても、上記した第３実施形態と同様の作用効果を得ることができる。
１０．第５実施形態
図３５〜図４１を参照して、本発明の現像カートリッジの第５実施形態を説明する。なお、第５実施形態において、上記した第１実施形態と同様の部材には、同じ符号を付し、その説明を省略する。
（１）第５実施形態の概要
上記した第１実施形態では、現像電極６５は、フレーム２１の右壁２７Ｒに配置されている。
【０３１６】
対して、第５実施形態では、現像電極１９４は、フレーム２１の左壁２７Ｌに配置される。
（２）第５実施形態の構成
現像カートリッジ７Ｅは、駆動部１９１を備えている。
【０３１７】
駆動部１９１は、図３５および図３６に示すように、軸受部材１９２と、現像電極１９４と、第１ギア列１９３と、直動カム１９５と、カバー１９６と、圧縮ばね１８８と、圧縮ばね３９とを備えている。
（２−１）軸受部材
軸受部材１９２は、図３６および図３７に示すように、第１実施形態の軸受部材３６と異なり、上ガイドリブ４３Ａと、下ガイドリブ１９７と、突起１９８とを備えている。また、軸受部材１９２は、導電性樹脂などの導電性材料からなる。
【０３１８】
下ガイドリブ１９７は、上ガイドリブ４３Ａの下方に間隔を隔てて、軸受部材１９２の下端部に配置されている。下ガイドリブ１９７は、軸受部材１９２の左面から左方へ突出し、前後方向に延びている。下ガイドリブ１９７の前端部は、軸受部材１９２の前端部に配置されている。下ガイドリブ１９７の後端部は、軸受部材１９２の後端部に配置されている。
【０３１９】
突起１９８は、上ガイドリブ４３Ａと下ガイドリブ１９７との間において、現像カップリング４４の上方、かつ、後述する第１アイドルギア２０２の後方に配置されている。突起１９８は、軸受部材１９２の左面から左方へ延びている。突起１９８は、左端部が閉鎖された略円筒形状を有している。なお、突起１９８の右端部は、軸受部材１９２を左右方向に貫通し、右方に向かって開放されている。突起１９８は、溝１９９を有している。
【０３２０】
溝１９９は、突起１９８を上下方向にわたって貫通するように、突起１９８の左端部から右方へ向かって切り欠かれている。溝１９９は、左端部が開放された平面視略直線形状を有している。
（２−２）現像電極
現像電極１９４は、溝１９９内に配置されている。現像電極１９４は、正面視略Ｔ字形状を有している。現像電極１９４は、溝１９９にガイドされながら、左右方向に沿って、内方位置（図３５参照）と、外方位置（図４１参照）とに移動するように構成されている。現像電極１９４の内方位置から外方位置への移動距離Ｄ３は、例えば、５ｍｍ以上、３０ｍｍ以下である。現像電極１９４は、接触部１８９と、接触部１９０とを備えている。
【０３２１】
接触部１８９は、現像電極１９４の右端部に配置されている。接触部１８９は、上下方向に延びる略角柱形状を有している。接触部１８９の上端部は、突起１９８の上端部よりも上方へ突出している。接触部１８９の下端部は、突起１９８の下端部よりも下方へ突出している。
【０３２２】
接触部１９０は、接触部１８９の上下方向中央から左方へ延びている。接触部１９０は、左右方向に長手の略円柱形状を有している。接触部１９０は、突起１９８の左端部よりも左方へ突出している。より詳しくは、接触部１９０は、左側面視において、現像カップリング４４と後述する第１アイドルギア２０２との接触部分、現像カップリング４４と後述する第１アイドルギア２０２との共通接線Ｌ、現像カップリング４４の周面、および、後述する第１アイドルギア２０２の周面に囲まれる領域内に配置されている。接触部１９０は、左端部において接点１９０Ａを有している。
【０３２３】
接点１９０Ａは、現像電極１９４が内方位置に位置しているときに、カバー１９６の後述する穴２０８内に配置されている。接点１９０Ａは、図３７Ａに示すように、現像電極１９４が内方位置に位置しているときには、左カラー４９の左面とほぼ同じ左右方向位置に位置している。接点１９０Ａは、現像電極１９４が外方位置に位置しているときには、図３７Ｂに示すように、カバー１９６の左面よりも左方に位置している。すなわち、現像電極１９４の外方位置は、現像電極１９４の内方位置よりも左右方向外方に位置している。
（２−３）第１ギア列
第１ギア列１９３は、図３８に示すように、現像カップリング４４および現像ギア４５に加えて、アジテータギア２００と、アイドルギア列２０１とを備えている。
（２−３−１）アジテータギア
アジテータギア２００は、左右方向に延びる略円板形状を有し、その周面すべてにわたってギア歯を備えている。アジテータギア２００は、その径方向中央において、側面視略Ｄ字形状の貫通穴２００Ａを有している。
【０３２４】
アジテータギア２００は、アジテータ６の回転軸Ｓの左端部に支持されている。この状態において、回転軸Ｓの左端部は、アジテータギア２００の貫通穴１５９Ａ内に相対回転不能にはまっている。これにより、アジテータギア２００は、回転軸Ｓに対して相対回転不能であり、回転軸Ｓとともに回転可能である。
（２−３−２）アイドルギア列
アイドルギア列２０１は、第１アイドルギア２０２と、第２アイドルギア２０３と、第３アイドルギア２０４とを備えている。
【０３２５】
第１アイドルギア２０２は、左右方向に厚みを有する略円板形状を有している。第１アイドルギア２０２は、その径方向中央において側面視略円形状の貫通穴２０２Ａと、その周面すべてにわたってギア歯とを備えている。第１アイドルギア２０２は、図３５および図３８に示すように、カバー１９６の後述する突起２０９に支持されている。第１アイドルギア２０２は、突起２０９に対して相対回転可能である。第１アイドルギア２０２は、現像カップリング４４のギア部４６の前上部分と噛合している。
【０３２６】
第２アイドルギア２０３は、左右方向に厚みを有し、第１アイドルギア２０２よりも小径な略円板形状を有している。第２アイドルギア２０３は、その径方向中央において側面視略円形状の貫通穴２０３Ａと、その周面すべてにわたってギア歯とを備えている。第２アイドルギア２０３は、カバー１９６の後述する突起２１０に支持されている。第２アイドルギア２０３は、突起２１０に対して相対回転可能である。第２アイドルギア２０３は、第１アイドルギア２０２の前上部分に噛合している。
【０３２７】
第３アイドルギア２０４は、左右方向に厚みを有し、第２アイドルギア２０３と同径の略円板形状を有している。第３アイドルギア２０４は、その径方向中央において側面視略円形状の貫通穴２０４Ａと、その周面すべてにわたってギア歯とを備えている。第３アイドルギア２０４は、カバー１９６の後述する突起２１１に支持されている。第３アイドルギア２０４は、突起２１１に対して相対回転可能である。第３アイドルギア２０４は、第２アイドルギア２０３の前方部分に噛合するとともに、アジテータギア２００の後上方部分に噛合している。
（２−４）直動カム
直動カム１９５は、図３５および図３６に示すように、電極接触部２０５を備えている。なお、直動カム１９５は、電極接触部２０５を備える以外は、第１実施形態の左直動カム３８と同じ形状を有している。
【０３２８】
電極接触部２０５は、接触部５１の上方に配置されている。電極接触部２０５は、接触部５１の前端部から上方へ延び、その上端部において後方へ屈曲して後方へ延びている。電極接触部２０５の後端部は、接触部５１の後端部よりもわずかに前方に配置されている。電極接触部２０５は、変位部２０６と、保持部２０７とを備えている。
【０３２９】
変位部２０６は、電極接触部２０５の後端部に配置されている。変位部２０６の左面は、後方から前方へ向かうにつれて左方へ傾斜している。言い換えると、変位部２０６の突出長さは、後方から前方へ向かうにつれて次第に長くなっている。
【０３３０】
保持部２０７は、変位部２０６の後方に連続されている。保持部２０７の左面は、変位部２０６の左面の前端部に連続して、前後方向に延びている。
（２−５）カバー
カバー１９６は、図示しないねじによりフレーム２１の左壁２７Ｌに固定されている。カバー１９６は、図３５および図３８に示すように、穴２０８、突起２０９、突起２１０および突起２１１を有している。なお、カバー１９６は、穴２０８、突起２０９、突起２１０および突起２１１を備える以外は、第１実施形態のカバー４０と同じ形状を有している。
【０３３１】
穴２０８は、開口６２の上方に配置されている。穴２０８は、側面視略円形状を有している。穴２０８の直径は、現像電極１９４の接触部１９０の外径よりもわずかに大きい。
【０３３２】
突起２０９は、開口６２の前上方に配置されている。突起２０９は、カバー１９６の左壁の右面から右方へ向かって延びている。突起２０９は、略円筒形状を有している。突起２０９は、第１アイドルギア２０２の貫通穴２０２Ａ内にはまっている。
【０３３３】
突起２１０は、突起２０９の前上方に配置されている。突起２１０は、カバー１９６の左壁の右面から右方へ向かって延びている。突起２１０は、略円筒形状を有している。突起２１０は、第２アイドルギア２０３の貫通穴２０３Ａ内にはまっている。
【０３３４】
突起２１１は、突起２１０の前方に配置されている。突起２１１は、カバー１９６の左壁の右面から右方へ向かって延びている。突起２１１は、略円筒形状を有している。突起２１１は、第３アイドルギア２０４の貫通穴２０４Ａ内にはまっている。
（２−６）圧縮ばね
圧縮ばね１８８は、図３７に示すように、その径方向内方に接触部１９０が配置されるように、突起１９８内に配置されている。圧縮ばね１８８は、突起１９８の内径よりも小さく、かつ、現像電極１９４の接触部１９０の直径よりも大きいコイルばねである。圧縮ばね１８８は、その左端部において突起１９８の左壁の右面に右方から当接し、その右端部において現像電極１９４の接触部１８９に左方から当接している。圧縮ばね１８８は、常に、現像電極１９４を内方位置へ向かって付勢している。
（３）現像カップリングおよび現像電極の進出または退避
次に現像カップリング４４および現像電極１９４の内方位置から外方位置への移動について説明をする。
【０３３５】
ハンドル部材１０１は、延出位置から傾倒位置へ向けて移動する。
【０３３６】
すると、ハンドル部材１０１の突起１０５Ａは、図３９Ａに示すように、直動カム１９５の連結部５３の後端部を前方から押圧する。これにより、直動カム１９５は、突起１０５Ａに押圧されて、後方へ移動する。
【０３３７】
そして、接触部５１の変位部５４は、電極接触部２０５の変位部２０６が現像電極１９４に当接する前に、現像カップリング４４の右端部に前方から当接する。
【０３３８】
これにより、現像カップリング４４は、図３９Ｂに示すように、接触部５１の変位部５４の傾斜に沿って、圧縮ばね３９（図６参照）の付勢力に抗してわずかに左方へ移動する。このとき、現像電極１９４は、内方位置に位置している。
【０３３９】
そして、ハンドル部材１０１がさらに傾倒位置へ移動すると、突起１０５Ａは、図４０Ａに示すように、ハンドル部材１０１の後端部を支点として右側面視時計回り方向に移動しながら、直動カム１９５の傾斜部分５６Ａを、下方から上方へ摺動するように押圧する。
【０３４０】
これにより、図４０Ｂに示すように、直動カム１９５は、さらに後方へ移動する。すると、現像カップリング４４は、接触部５１の変位部５４の傾斜に沿って、圧縮ばね３９（図６参照）の付勢力に抗してさらに左方へ移動する。
【０３４１】
また、電極接触部２０５の変位部２０６は、現像電極１９４の接触部１８９に前方から当接する。すると、現像電極１９４は、電極接触部２０５の変位部２０６の傾斜に沿って、圧縮ばね１８８の付勢力に抗して左方へ移動する。
【０３４２】
そして、ハンドル部材１０１がさらに傾倒位置へ移動すると、突起１０５Ａは、直動カム１９５の垂直部分５６Ｂを、下方から上方へ摺動するように押圧する。これにより、直動カム１９５は、さらに後方へ移動する。
【０３４３】
そして、直動カム１９５は、図４１Ａに示すように、突起１０５Ａが突起５８を乗り越えて突起５８よりも上方に配置され、押圧位置に位置する。
【０３４４】
すると、現像カップリング４４および現像電極１９４は、図４１Ｂに示すように、外方位置に位置する。これにより、現像カップリング４４および現像電極１９４の内方位置から外方位置への移動が完了する。
【０３４５】
次に、現像カップリング４４および現像電極１９４の外方位置から内方位置への移動について説明する。
【０３４６】
ハンドル部材１０１は、傾倒位置から延出位置へ向けて移動する。直動カム１９５は、ハンドル部材１０１の傾倒位置から延出位置への移動に伴って、前方へ移動する。
【０３４７】
すると、図４０に示すように、まず、現像電極１９４は、圧縮ばね１８８の付勢力によって外方位置から内方位置に移動する。その後、図３９に示すように、現像カップリング４４は、圧縮ばね３９の付勢力によって外方位置から内方位置に移動する。
【０３４８】
そして、図３５に示すように、ハンドル部材１０１が延出位置に位置すると、現像カップリング４４および現像電極１９４は、内方位置に位置する。これにより、現像カップリング４４および現像電極１９４の外方位置から内方位置への移動が完了する。
（４）現像カートリッジの作動
次に、現像カップリング４４が本体ケーシング２内の駆動源から駆動力を受けるときの状態について説明をする。
【０３４９】
現像カップリング４４の凹部４８は、図３７Ｂに仮想線で示すように、本体ケーシング２内において、現像カップリング４４が外方位置に位置するときに、本体ケーシング２の本体カップリング１１６に相対回転不能にはまる。
【０３５０】
また、現像電極１９４の接触部１９０Ａは、現像電極１９４が外方位置に位置すると、本体ケーシング２の本体電極２１２に接触する。
【０３５１】
そして、現像電極１９４は、上記した画像形成動作時など、本体電極２１２から電力を受ける。現像電極１９４が受けた電力は、軸受部材１９２を介して現像ローラ軸１１１と供給ローラ軸１２１とに伝達される。
【０３５２】
また、現像カップリング４４は、画像形成動作時などに、本体カップリング１１６から駆動力を受ける。
【０３５３】
そして、現像カップリング４４は、図３６に示すように、左側面視時計回りに回転する。現像ギア４５は、左側面視反時計回りに回転する。第１アイドルギア２０２は、左側面視反時計回りに回転する。第２アイドルギア２０３は、左側面視時計回りに回転する。また、第３アイドルギア２０４は、左側面視反時計回りに回転する。これにより、現像ローラ１１は、左側面視反時計回りに回転する。
【０３５４】
また、アジテータギア２００は、左側面視時計回りに回転する。アジテータ６は、左側面視時計回りに回転する。
（５）特許請求の範囲との対応
直動カム１９５および圧縮ばね１８８は、移動機構の一例である。
（６）第５実施形態の作用効果
第５実施形態においても、上記した第１実施形態と同様の作用効果を得ることができる。
（７）第５実施形態の変形例
上記した第５実施形態では、第１アイドルギア２０２が受動部材の一例であったが、本発明はこれに限定されるものではない。たとえば、回転体の外周面にゴム層を配置し、そのゴム層を他のギヤに接触させる構成であってもよい。
１１．第６実施形態
図４２および図４３を参照して、本発明の現像カートリッジの第６実施形態を説明する。なお、第６実施形態において、上記した第１実施形態と同様の部材には、同じ符号を付し、その説明を省略する。
（１）第６実施形態の概要
上記した第１実施形態では、現像カートリッジ７Ａは、左直動カム３８および右直動カム６８を移動させるハンドル部材１０１を備えている。そして、ハンドル部材１０１は、ハンドル部材１０１の意図しない移動を規制する規制部材１０４を備えている。
【０３５５】
対して、第６実施形態では、図４２および図４３に示すように、現像カートリッジ７Ｆは、ハンドル部材１０１を備えていない。そして、カバー２２２は、左直動カム２２３の移動を規制する規制部材２２６を備えている。
（２）第６実施形態の構成
現像カートリッジ７Ｆは、駆動部２４０を備えている。駆動部２４０は、左直動カム２２１と、カバー２２２とを有している。
（２−１）左直動カム
左直動カム２２３は、第１実施形態の左直動カム３８と異なり、接触部５２を備えず、操作部２２４を備えている。
【０３５６】
操作部２２４は、連結部５３の後端部から左方へ延びている。操作部２２４は、略平板形状を有している。
（２−２）カバー
カバー２２２は、第１実施形態のカバー４０と異なり、開口２２５と、規制部材２２６とを有している。
【０３５７】
開口２２５は、カバー２２２の後端部に配置されている。開口２２５は、カバー２２２の左壁を左右方向に貫通している。開口２２５は、側面視略矩形状を有している。
【０３５８】
規制部材２２６は、開口２２５内に配置されている。規制部材２２６は、前後方向に長手の側面視略矩形の平板形状を有している。規制部材２２６の前後方向両端部のそれぞれは、開口２２５の前後方向両端部のそれぞれの周縁部に支持されている。規制部材２２６は、開口２２５の下端部内に配置される規制位置（図４２Ａおよび図４３Ｃ参照）と、開口２２５の上端部内に配置される規制解除位置（図４３Ａおよび図４３Ｂ参照）とに、上下方向に移動するように構成されている。規制部材２２６は、規制位置に位置している状態で、左直動カム２２３の移動を規制する。また、規制部材２２６は、規制解除位置に位置している状態で、左直動カム２２３に対する移動の規制を解除する。なお、規制部材２２６は、１対の溝２２７を有している。
【０３５９】
１対の溝２２７のそれぞれは、規制部材２２６の前後方向両端部のそれぞれに配置されている。１対の溝２２７のそれぞれは、規制部材２２６の下端部から上方へ向かって切り欠かれる凹溝である。
（２−３）現像カップリングの進出および退避
次に、現像カップリング４４の外方位置から内方位置への移動について説明する。
【０３６０】
まず、左直動カム２２３は、図４２に示すように、規制部材２２６により押圧解除位置から押圧位置への移動を規制されている。このとき、左直動カム２２３の操作部２２４は、カバー２２２の開口２２５の下方前端部内に配置され、規制部材２２６の前方の溝２２７内に係合している。規制部材２２６は、図４３Ａに示すように、規制部材２２６が規制位置から規制解除位置へ移動すると、左直動カム２２３の操作部２２４から上方へ外れる。これにより、押圧解除位置から押圧位置への左直動カム２２３の移動が許容される。そして、左直動カム２２３は、操作部２２４の移動に伴って、図４３Ａおよび図４３Ｂに示すように、押圧解除位置から押圧位置へ移動する。
【０３６１】
その後、左直動カム２２３が押圧解除位置から後方へ移動され、左直動カム２２３の操作部２２４がカバー２２２の開口２２５の下方後端部内に配置されると、左直動カム２２３は、押圧位置に位置する。これにより、現像カップリング４４は、図４３Ｂに示すように、外方位置に位置する。
【０３６２】
そして、この状態で、図４３Ｃに示すように、規制部材２２６が規制位置から規制解除位置へ移動されると、左直動カム２２３の操作部２２４は、規制部材２２６の後方の溝２２７内に係合する。左直動カム２２３は、押圧位置から押圧解除位置への移動を規制される。
【０３６３】
なお、現像カップリング４４が外方位置から内方位置に移動されるときには、左直動カム２２３は、図４３Ｂに示すように、規制部材２２６が規制解除位置に位置した後に、図４３Ａに示すように、押圧解除位置から押圧位置へ移動する。
【０３６４】
すると、現像カップリング４４は、内方位置に位置する。
（３）受電部の構成
第６実施形態の受電部は、図示しないが、駆動部と同様に構成されている。詳しくは、右直動カムは、第１実施形態の右直動カム６８と異なり、接触部８２を備えず、上記した駆動部と同様の操作部を備えている。なお、受電部の操作部は、連結部８３の後端部から右方へ延びている。
【０３６５】
また、カバーは、第１実施形態のカバー６９と異なり、開口と、規制部材とを有している。開口および規制部材は、上記した駆動部の開口２２５および規制部材２２６と同様に構成されている。
【０３６６】
そして、現像電極６５が内方位置から外方位置に移動されるときには、右直動カムは、規制部材が規制解除位置に位置した後に、押圧解除位置から押圧位置へ移動する。
【０３６７】
すると、現像電極６５は、外方位置に位置する。
【０３６８】
また、現像電極６５が外方位置から内方位置に移動されるときには、右直動カムは、規制部材が規制解除位置に位置した後に、押圧解除位置から押圧位置へ移動する。
【０３６９】
すると、現像電極６５は、内方位置に位置する。
（４）特許請求の範囲との対応
第６実施形態において、規制部材２２６は、第１規制部材の一例である。操作部２２４は、力受け部の一例である。
（５）第６実施形態の作用効果
（５−１）第６実施形態では、図４２Ａおよび図４３Ｃに示すように、現像カートリッジ７Ｆは、現像カップリング４４の移動を規制する規制部材２２６を備えている。
【０３７０】
そのため、規制部材２２６により、現像カップリング４４の意図しない移動を規制することができる。
【０３７１】
その結果、現像カップリング４４を、確実に、内方位置または外方位置に位置させることができる。
（５−２）第６実施形態では、規制部材２２６は、図４２Ａおよび図４３Ｃに示すように、左直動カム２２３の移動を規制する。
【０３７２】
そのため、簡易な構成で、現像カップリング４４の移動を規制することができる。
（５−３）第６実施形態においても、上記した第１実施形態と同様の作用効果を得ることができる。
１２．第７実施形態
図４４〜図４９を参照して、本発明の現像カートリッジの第７実施形態を説明する。なお、第７実施形態において、上記した第１実施形態と同様の部材には、同じ符号を付し、その説明を省略する。
（１）第７実施形態の概要
上記した第１実施形態では、ハンドル部材１０１は、左直動カム３８または右直動カム６８と係合する突起１０５を備えている。
【０３７３】
対して、第７実施形態では、図４４および図４５に示すように、ハンドル部材２４１は、突起１０５を備えていない。代わりに、第７実施形態の駆動部２４０は、係合シャフト２４３を備えている。
（２）第７実施形態の構成
現像カートリッジ７Ｇは、操作部２３９と、駆動部２４０とを備えている。
（２−１）操作部
操作部２３９は、ハンドル部材２４１と、係合シャフト２４３と、圧縮ばね２４８とを備えている。
【０３７４】
ハンドル部材２４１は、図４５および図４６に示すように、第１実施形態のハンドル部材１０１と異なり、突起１０５を備えず、穴２４４と、ばね支持部２４５とを備えている。
【０３７５】
穴２４４は、リンク部１０３の下端部に配置されている。穴２４４は、リンク部１０３を左右方向に貫通している。穴２４４は、側面視略円形状を有している。
【０３７６】
ばね支持部２４５は、穴２４４の周囲から左右方向外方へ突出している。ばね支持部２４５は、略円筒形状を有している。ばね支持部２４５は、その中心軸線が穴２４４の中心と重なるように配置されている。ばね支持部２４５の内径は、穴２４４の直径よりも大きい。
【０３７７】
係合シャフト２４３は、鍔部２４７よりも左右方向内方の部分において、ハンドル部材２４１のばね支持部２４５内に配置されている。係合シャフト２４３は、左右方向に延びる略円柱形状を有している。係合シャフト２４３は、鍔部２４７を備えている。
【０３７８】
鍔部２４７は、係合シャフト２４３の左右方向略中央に配置されている。鍔部２４７は、係合シャフト２４３の外周面から係合シャフト２４３の径方向外方へ突出し、係合シャフト２４３の周方向に延びている。
【０３７９】
係合シャフト２４３は、ハンドル部材１４１と左直動カム３８とを連動させる連動位置（図４７Ｂ参照）と、ハンドル部材１４１と左直動カム３８との連動を解除する連動解除位置（図４７Ａ参照）との間を移動するように構成されている。
【０３８０】
係合シャフト２４３が連動位置に配置されているときには、図４６Ｂおよび図４７Ｂに示すように、係合シャフト２４３の右端部は、穴２４４から右方へ突出し、左直動カム３８の第２係合部５７の前方に配置される。また、係合シャフト２４３の左端部は、ガイド溝２４６内に配置される。
【０３８１】
また、係合シャフト２４３が連動解除位置に配置されているときには、図４６Ａおよび図４７Ａに示すように、係合シャフト２４３の右端部は、穴２４４内に配置され、係合シャフト２４３の左端部は、ガイド溝２４６から左方へ突出する。
【０３８２】
圧縮ばね２４８は、その径方向内方に係合シャフト２４３の左右方向内方端部が配置されるように、ばね支持部２４５内に配置されている。圧縮ばね２４８は、左右方向に延びるコイルばねである。圧縮ばね２４８は、その左端部において係合シャフト２４３の鍔部２４７の右面に右方から当接し、その右端部においてリンク部１０３の左面に左方から当接している。圧縮ばね２４８は、係合シャフト２４３を常に左方へ向かって付勢している。
（２−２）カバー
駆動部２４０は、図４４および図４５に示すように、カバー２４２を備えている。
【０３８３】
カバー２４２は、第１実施形態のカバー４０と異なり、ガイド溝２４６を有している。
【０３８４】
ガイド溝２４６は、カバー２４２の前端部に配置されている。ガイド溝２４６は、カバー２４２の左壁を左右方向に貫通している。ガイド溝２４６は、カバー２４２の前下方端部から後上方へ向かって延びる略円弧形状を有している。ガイド溝２４６は、ハンドル部材２４１の移動に伴う穴２４４の移動軌跡に沿って延びている。
（３）本体ケーシングに対する現像カートリッジの装着動作
次に、本体ケーシング２に対する現像カートリッジ７Ｇの装着動作および現像カップリング４４の内方位置から外方位置への移動について説明をする。
【０３８５】
まず、現像カートリッジ７Ｇが本体ケーシング２から離脱しているときには、係合シャフト２４３は、圧縮ばね２４８の付勢力により連動解除位置に位置している。この状態では、左直動カム３８は、ハンドル部材２４１の移動に伴って移動しない。
【０３８６】
そして、図４８Ａに示すように、ハンドル部材２４１が延出位置に配置された状態で現像カートリッジ７Ｇを本体ケーシング２内に挿入されると、図４８Ｂに示すように、係合シャフト２４３の左端部は、本体ケーシング２の装着ガイド２４９内に配置される。
【０３８７】
そして、現像カートリッジ７Ｇがさらに本体ケーシング２内に挿入されると、図４８Ｃに示すように、係合シャフト２４３の左端部は、本体ケーシング２の装着ガイド２４９が有する傾斜面２５０に前方から当接し、傾斜面２５０の傾斜により、現像カートリッジ７Ｇの後方への移動に沿って右方へ押圧される。
【０３８８】
すると、係合シャフト２４３は、連動解除位置から右方へ移動し、連動位置に位置する。これにより、左直動カム３８は、ハンドル部材２４１の移動に伴って移動することが可能になる。
【０３８９】
その後、上記した第１実施形態と同様に、ハンドル部材２４１が延出位置から傾倒位置へ移動されると、現像カップリング４４は、外方位置に配置される。
【０３９０】
なお、図４９Ａに示すように、ハンドル部材２４１が傾倒位置に配置された状態で現像カートリッジ７Ｇが本体ケーシング２内に挿入されると、図４９Ｂに示すように、係合シャフト２４３の左端部は、本体ケーシング２の側壁の前端部に当接する。
【０３９１】
これにより、ハンドル部材２４１が傾倒位置に配置された状態では、本体ケーシング２に対する現像カートリッジ７Ｇの装着が規制される。
（５）受電部の構成
第７実施形態の受電部は、図示しないが、駆動部と同様に構成されている。詳しくは、
また、カバーは、第１実施形態のカバー６９と異なり、ハンドル部材２４１の移動に伴う穴２４４の移動軌跡に沿って延びるガイド溝を有している。
【０３９２】
そして、係合シャフト２４３は、連動位置において、右直動カム６８の第２係合部８９の前方に配置され、ハンドル部材２４１と右直動カム６８とを連動させる。
【０３９３】
また、係合シャフト２４３は、連動解除位置において、ガイド溝内に配置され、ハンドル部材２４１と右直動カム６８との連動を解除する。
（６）特許請求の範囲との対応
第７実施形態において、カバー２４２のガイド溝２４６に挿通される係合シャフト２４３は、遮断部材の一例である。
（７）第７実施形態の作用効果
（７−１）第７実施形態によれば、図４５Ａに示すように、係合シャフト２４３によって左方のリンク部１０３と左直動カム３８との連動を解除し、外部からの意図しない力によってハンドル部材２４１が移動された場合に、左直動カム３８が移動することを防止できる。
【０３９４】
その結果、現像カップリング４４の意図しない移動を規制することができる。
（７−２）第７実施形態においても、上記した第１実施形態と同様の作用効果を得ることができる。
１３．現像電極の変形例
図５０〜図５７を参照して、本発明の現像カートリッジの現像電極６５の変形例を説明する。なお、これらの変形例において、上記した第１実施形態と同様の部材には、同じ符号を付し、その説明を省略する。
【０３９５】
上記した各実施形態において、現像電極の形状は、特に限定されない。
（１）現像電極２５１は、図５０に示すように、例えば、導通部材２５２と絶縁部材２５３とを備えていてもよい。
【０３９６】
導通部材２５２は、上記した第１実施形態の現像電極６５と同じ形状を有している。
【０３９７】
絶縁部材２５３は、左右方向に延びる略円筒形状を有している。絶縁部材２５３の内径は、導通部材２５２の接触部９１の外径よりもわずかに大きい。また、絶縁部材２５３の左右方向の寸法は、導通部材２５２の接触部９１の左右方向長さよりもわずかに短い。絶縁部材２５３は、導通部材２５２の接触部９１に対して、接触部９１の径方向外方からはまる。
【０３９８】
なお、絶縁部材２５３の周壁の厚みは、特に限定されず、例えば、図５１に示すように、フィルムなど薄く構成することもできる。
【０３９９】
また、絶縁部材２５３は、特に限定されず、例えば、図５３に示すように、略枠形状であってもよい。
【０４００】
また、導通部材２５２の構成は、特に限定されず、例えば、図５２Ａ、Ｂに示すように、接触端部が先細り形状を有する接触部２５７と、接触部２５７を着脱可能に支持する支持部２５８とを分離可能に備えていてもよい。
【０４０１】
また、導通部材２５２は、図５３に示すように、リング状の接点部２５５と、接点部２５５に接続されたワイヤ２５６とを備えてもよい。
【０４０２】
この変形例によれば、導通部材２５２において現像電極２５１の導通を確保しながら、絶縁部材２５３において、外部の構成と現像電極２５１との意図しない導通を遮断することができる。
【０４０３】
また、導通部材２５２と絶縁部材２５３とが一体的に移動するように構成されていると、現像電極２５１の移動中においても、外部の構成と現像電極２５１との意図しない導通を遮断することができる。
（２）また、現像電極２６１は、図５４に示すように、カバー６９に移動不能に支持される絶縁部材２６２と、絶縁部材２６２に対して移動可能な導通部材２６３とを備えてもよい。
【０４０４】
カバー６９は、図５５に示すように、穴２６４を有している。
【０４０５】
穴２６４は、カバー６９の開口９４の前下方に配置されている。穴２６４は、カバー６９の右壁を左右方向に貫通している。穴２６４は、側面視略矩形状を有している。
【０４０６】
絶縁部材２６２は、前後方向に延び、その後端部で右方へ屈曲されて右方へ延びている。絶縁部材２６２は、平面視略Ｌ字の角柱形状を有している。絶縁部材２６２は、その上下方向中央において、上下に分離可能である。絶縁部材２６２の右端部は、穴２６４内にはまっている。
【０４０７】
導通部材２６３は、図５６に示すように、絶縁部材２６２の内方に位置する内方位置（図５４Ａおよび図５６Ａ参照）と、絶縁部材２６２の右端部から右方へ大きく突出する外方位置（図５４Ａおよび図５６Ａ参照）との間で移動するように構成されている。
【０４０８】
導通部材２６３は、上記した第１実施形態の現像電極６５と異なり、導通部材２６３が内方位置に位置するときに前後方向に延びているワイヤである。導通部材２６３は、その後端部において、絶縁部材２６２内に位置している。導通部材２６３は、導通部材２６３が内方位置から外方位置に移動するときに、絶縁部材２６２の形状に沿って右方向へ弾性変形するように構成されている。導通部材２６３は、導通部材２６３が外方位置に位置するときに、穴２６４から右方へ大きく突出している。また、導通部材２６３は、外方位置に配置されているときには、図５６Ｂに仮想線で示すように、その径方向に弾性変形可能である。なお、導通部材２６３は、図５７に示すように、板状部材であってもよい。
【０４０９】
この変形例によれば、前後方向や上下方向から導通部材２６３に意図しない外力が加わった場合に、導通部材２６３が破損することを防止できる。
【０４１０】
また、この変形例によれば、絶縁部材２６２に対して導通部材２６３のみを移動させることができ、簡易な構成で、現像電極２６１の導通の確保と、外部の構成と現像電極２６１との意図しない導通の遮断とを実現できる。
【０４１１】
また、図５８Ａに示すように、絶縁部材２８１は、弾性変形可能なフィルムなどであってもよい。絶縁部材２８１は、導通部材２６３の外径よりもわずかに小さな直径を有する穴２８２を有している。そして、導通部材２６３は、内方位置から外方位置へ移動するときに、絶縁部材２８１の穴２８２を突き抜ける。これにより、導通部材２６３の先端、すなわち、右端部は、穴２８２から右側へ突出する。
（３）また、現像電極６５は、左右方向に延びるコイルばねであってもよい。この場合、現像電極６５は、例えば、２〜５ｍｍの範囲で弾性変形可能である。
【０４１２】
現像電極６５がコイルばねであると、本体ケーシング２の本体電極１１７に対して、現像電極を弾性的に接触させることができる。
【０４１３】
その結果、本体電極１１７に対して、現像電極６５をより確実に接触させることができる。
【０４１４】
また、現像電極６５が、例えば、２〜５ｍｍの範囲で弾性変形可能であると、本体電極１１７に対する現像電極６５の接触圧を確保しながら、本体電極１１７に対して、現像電極６５を弾性的に接触させることができる。
【０４１５】
その結果、本体電極１１７に対して、現像電極６５をより一層確実に接触させることができる。
（４）これらの変形例においても、上記した第１実施形態と同様の作用効果を得ることができる。
１４．その他の変形例
上記した各実施形態では、伝達機構部の一例としてギアを用いていたが、これに限定されるものではない。たとえば、回転体の外周面にゴム層を配置し、そのゴム層を他のギアまたは回転体のゴム層に接触させる構成であってもよい。
【０４１６】
上記した各実施形態におけるハンドル部材は、操作者が直接的に延出位置から傾倒位置へ移動させることで、現像カップリングおよび現像電極を内方位置から外方位置に移動させていたが、たとえば、本体カバーが本体ケーシングの開口部を覆う閉鎖位置へ向けて移動するときに、ハンドル部材が本体カバーと当接することで、ハンドル部材が延出位置から傾倒位置へ移動する構成であってもよい。
【０４１７】
本発明は、上記した各実施形態および各変形例に限定されるものではなく、特許請求の範囲に記載された事項の範囲であれば各実施形態および各変形例の組み合わせ等の種々の設計変更を施すことが可能である。
【符号の説明】
【０４１８】
２        本体ケーシング
７        現像カートリッジ
１１      現像ローラ
１２      供給ローラ
２７Ｌ    左壁
２７Ｒ    右壁
２８      前壁
３８      左直動カム
３９      圧縮ばね
４４      現像カップリング
４５      現像ギア
４９      左カラー
７０      第１アイドルギア
７１      第２アイドルギア
７２      供給ギア
１０１    ハンドル部材
１０４    規制部材
１２１    供給ローラ軸
１３２    左リンク機構
１３６    リンク部材
１５７    現像ギア
１５８    アイドルギア
１５９    供給ギア
１６１    カップリング部材
１６２    圧縮ばね
１６９    カップリング支持部材
１７１    カップリング支持ボス
１７２    スライド部材
１７３    カム部材
１８８    圧縮ばね
１９５    直動カム
２２６    規制部材
２４３    係合シャフト
２７１    アイドルギア
２７３    供給ギア
２７４    カップリング支持部材
Ａ１      現像ローラの中心軸線
Ａ２      供給ローラの中心軸線
【図１】
2014170142.tif 000003
【図２】
2014170142.tif 000004
【図３】
2014170142.tif 000005
【図４】
2014170142.tif 000006
【図５】
2014170142.tif 000007
【図６】
2014170142.tif 000008
【図７】
2014170142.tif 000009
【図８】
2014170142.tif 000010
【図９】
2014170142.tif 000011
【図１０】
2014170142.tif 000012
【図１１】
2014170142.tif 000013
【図１２】
2014170142.tif 000014
【図１３】
2014170142.tif 000015
【図１４】
2014170142.tif 000016
【図１５】
2014170142.tif 000017
【図１６】
2014170142.tif 000018
【図１７】
2014170142.tif 000019
【図１８】
2014170142.tif 000020
【図１９】
2014170142.tif 000021
【図２０】
2014170142.tif 000022
【図２１】
2014170142.tif 000023
【図２２】
2014170142.tif 000024
【図２３】
2014170142.tif 000025
【図２４】
2014170142.tif 000026
【図２５】
2014170142.tif 000027
【図２６】
2014170142.tif 000028
【図２７】
2014170142.tif 000029
【図２８】
2014170142.tif 000030
【図２９】
2014170142.tif 000031
【図３０】
2014170142.tif 000032
【図３１】
2014170142.tif 000033
【図３２】
2014170142.tif 000034
【図３３】
2014170142.tif 000035
【図３４】
2014170142.tif 000036
【図３５】
2014170142.tif 000037
【図３６】
2014170142.tif 000038
【図３７】
2014170142.tif 000039
【図３８】
2014170142.tif 000040
【図３９】
2014170142.tif 000041
【図４０】
2014170142.tif 000042
【図４１】
2014170142.tif 000043
【図４２】
2014170142.tif 000044
【図４３】
2014170142.tif 000045
【図４４】
2014170142.tif 000046
【図４５】
2014170142.tif 000047
【図４６】
2014170142.tif 000048
【図４７】
2014170142.tif 000049
【図４８】
2014170142.tif 000050
【図４９】
2014170142.tif 000051
【図５０】
2014170142.tif 000052
【図５１】
2014170142.tif 000053
【図５２】
2014170142.tif 000054
【図５３】
2014170142.tif 000055
【図５４】
2014170142.tif 000056
【図５５】
2014170142.tif 000057
【図５６】
2014170142.tif 000058
【図５７】
2014170142.tif 000059
【図５８】
2014170142.tif 000060